(57)【要約】      （修正有）【課題】無線通信システムにおけるサイドリンク及び上りリンクハイブリッド自動再送要求確認応答の処理方法及び装置を提供する。【解決手段】無線通信システムにおいて、第１のデバイスを、ネットワークによって第２のスロットオフセットセットで設定し、ネットワークから、サイドリンクリソースをスケジューリングする第２の下りリンク制御情報を受信し、サイドリンクリソース上で第２のデバイスへのサイドリンク送信を行い、第４のスロットにおいて、第２のデバイスからのサイドリンクハイブリッド自動再送要求確認応答（ＳＬ  ＨＡＲＱ−ＡＣＫ）フィードバックを監視・受信し、第４のスロット及び第２のＤＣＩによって示される第２のスロットオフセット値に基づき、ＳＬ  ＨＡＲＱ−ＡＣＫをネットワークに送信するための第３のスロットを導出する。ＳＬ  ＨＡＲＱ−ＡＣＫを、受信したＳＬ  ＨＡＲＱ−ＡＣＫフィードバックに基づき設定／導出／決定する。【選択図】図１４
2020137127.tif 000002
【特許請求の範囲】
【請求項１】
サイドリンクネットワークスケジューリングモードにおいて、ネットワークによって、第２のスロットオフセットセットで設定される、第１のデバイスの方法であって、当該方法は、
前記ネットワークから、サイドリンクリソースをスケジューリングする第２の下りリンク制御情報（ＤＣＩ）を受信することと、
前記サイドリンクリソース上で、第２のデバイスへのサイドリンク送信を行うことと、
第４のスロットにおいて、前記第２のデバイスからサイドリンクハイブリッド自動再送要求確認応答（ＳＬ  ＨＡＲＱ−ＡＣＫ）フィードバックを監視または受信することであって、前記ＳＬ  ＨＡＲＱ−ＡＣＫフィードバックが、前記サイドリンク送信に関連付けられる、監視または受信することと、
前記第４のスロットと前記第２のＤＣＩによって示される第２のスロットオフセット値に基づいて、ＳＬ  ＨＡＲＱ−ＡＣＫを前記ネットワークに送信するための第３のスロットを導出することであって、前記第２のスロットオフセットセットは前記第２のスロットオフセット値を含み、前記ＳＬ  ＨＡＲＱ−ＡＣＫは前記受信したＳＬ  ＨＡＲＱ−ＡＣＫフィードバックに基づいて設定／導出／決定される、導出することと、を含む方法。
【請求項２】
前記第２のＤＣＩが、第２のカウンタ下りリンク割り当てインデックス（ＤＡＩ）の値を示し、
前記第２のカウンタＤＡＩが、１つ以上のサイドリンクリソースをスケジューリングし、前記第３のスロットを示す１つ以上のＤＣＩのカウントに対応する、請求項１に記載の方法。
【請求項３】
前記ネットワークから、１つ以上のサイドリンクリソースをスケジューリングする１つ以上の第２のＤＣＩを受信することと、
前記１つ以上のサイドリンクリソース上で１つ以上のサイドリンク送信を行うことと、を含み、前記１つ以上の第２のＤＣＩが、１つ以上のＳＬ  ＨＡＲＱ−ＡＣＫをネットワークに送信するための前記第３のスロットを示し、前記１つ以上のＳＬ  ＨＡＲＱ−ＡＣＫが、第２のＳＬ  ＨＡＲＱ−ＡＣＫビット数を有し、前記１つ以上のサイドリンク送信に関連付けられる、請求項１に記載の方法。
【請求項４】
前記１つ以上の第２のＤＣＩを受信することが、前記第２のＤＣＩを受信することを含み、
前記１つ以上のサイドリンク送信を行うことが、前記第２のデバイスへの前記サイドリンク送信を行うことを含む、請求項３に記載の方法。
【請求項５】
前記１つ以上の第２のＤＣＩの各ＤＣＩが、第２のカウンタ下りリンク割り当てインデックス（ＤＡＩ）の値を示し、
前記第２のカウンタＤＡＩが、１つ以上のサイドリンクリソースをスケジューリングする１つ以上のＤＣＩのカウントに対応し、１つ以上のＳＬ  ＨＡＲＱ−ＡＣＫを前記ネットワークに送信するための前記第３のスロットを示す、請求項３に記載の方法。
【請求項６】
前記第２のカウンタＤＡＩと、
前記１つ以上の第２のＤＣＩのうちの最後に受信したＤＣＩにおける、前記第２のカウンタＤＡＩの値の表示と、
のうちの、少なくとも１つに基づいて、第２のＳＬ  ＨＡＲＱ−ＡＣＫビット数を導出することを含む、請求項５記載の方法。
【請求項７】
前記第２のスロットオフセットセットの濃度に基づいて、前記第２のＳＬ  ＨＡＲＱ−ＡＣＫビット数を導出する、請求項３に記載の方法。
【請求項８】
前記第３のスロットにおける上りリンクリソースおいて、前記１つ以上のＳＬ  ＨＡＲＱ−ＡＣＫを送信することと、
前記１つ以上の第２のＤＣＩのうちの最後に受信したＤＣＩに基づいて前記上りリンクリソースを導出することと、
のうちの少なくとも１つを含む、請求項３に記載の方法。
【請求項９】
物理的下りリンク共有チャネル（ＰＤＳＣＨ）をスケジューリングする第１のＤＣＩを受信することであって、前記第１のＤＣＩは第１のスロットオフセット値を示す、受信することと、
前記第１のスロットオフセット値に基づいて、前記ＰＤＳＣＨに関連付けられたハイブリッド自動再送要求確認応答（ＨＡＲＱ−ＡＣＫ）を送信するための第１のスロットを導出することと、を含む、請求項１に記載の方法。
【請求項１０】
前記第１のデバイスが、前記ネットワークによって第１のスロットオフセットセットで設定されることと、
前記第１のスロットオフセットセットが、前記第１のスロットオフセット値を含むことと、
のうちの少なくとも１つである、請求項９に記載の方法。
【請求項１１】
前記第１のＤＣＩを受信することが第２のスロットにおいて実行され、
前記第１のスロットを導出することが前記第２のスロットに基づいて行われる、請求項９記載の方法。
【請求項１２】
前記第１のＤＣＩが、第１のカウンタ下りリンク割り当てインデックス（ＤＡＩ）の値を示し、
前記第１のカウンタＤＡＩが、１つ以上のＰＤＳＣＨをスケジューリングし、前記第１のスロットを示すする１つ以上のＤＣＩのカウントに対応する、請求項９に記載の方法。
【請求項１３】
前記ネットワークから、１つ以上のＰＤＳＣＨをスケジューリングする１つ以上の第１のＤＣＩを受信することを含み、前記１つ以上の第１のＤＣＩが、１つ以上のＨＡＲＱ−ＡＣＫを前記ネットワークに送信するための前記第１のスロットを示し、前記１つ以上のＨＡＲＱ−ＡＣＫが、第１のＨＡＲＱ−ＡＣＫビット数を有し、前記１つ以上のＰＤＳＣＨに関連付けられる、請求項９に記載の方法。
【請求項１４】
前記１つ以上の第１のＤＣＩを受信することが、前記第１のＤＣＩを受信することを含む、請求項１３に記載の方法。
【請求項１５】
前記１つ以上の第１のＤＣＩの各ＤＣＩが、第１のカウンタ下りリンク割り当てインデックス（ＤＡＩ）の値を示し、
前記第１のカウンタＤＡＩが、１つ以上のＰＤＳＣＨをスケジューリングし、前記第１のスロットを示す１つ以上のＤＣＩのカウントに対応する、請求項１３に記載の方法。
【請求項１６】
前記第１のカウンタＤＡＩと、前記第１のスロットオフセットセットの濃度とのうちの少なくとも１つと、
前記１つ以上の第１のＤＣＩのうちの最後に受信したＤＣＩにおける、前記第１のスロットオフセットセットの濃度と、前記第１のカウンタＤＡＩの値の表示うちの少なくとも１つと、
のうちの少なくとも１つに基づいて、前記第１のＨＡＲＱ−ＡＣＫビット数を導出することを含む、請求項１５に記載の方法。
【請求項１７】
前記第１のＤＣＩが、第１のカウンタ下りリンク割り当てインデックス（ＤＡＩ）の値を示し、
前記第１のカウンタＤＡＩが、１つ以上のＰＤＳＣＨをスケジューリングし、前記第１のスロットを示す１つ以上のＤＣＩのカウントに対応することであって、
前記第２のＤＣＩが、第２のカウンタＤＡＩの値を示し、
前記第２のカウンタＤＡＩが、１つ以上のサイドリンクリソースをスケジューリングし、前記第３のスロットを示す１つ以上のＤＣＩのカウントに対応し、
前記第１のカウンタＤＡＩと前記第２のカウンタＤＡＩが独立してカウントされる、対応することと、
前記第１のスロットが前記第３のスロットと同じであり、前記第１のカウンタＤＡＩが、
１つ以上のサイドリンクリソースをスケジューリングし、前記第３のスロットを示すこと、
１つ以上のＰＤＳＣＨをスケジューリングし、前記第３のスロットを示すことと、のうちの少なくとも１つである１つ以上のＤＣＩのカウントに対応することと、
のうちの少なくとも１つである、請求項９に記載の方法。
【請求項１８】
前記第２のＳＬ  ＨＡＲＱ−ＡＣＫビット数は、前記１つ以上の第２のＤＣＩが単に前記第２のＤＣＩを含み、前記第２のＤＣＩで示された前記第２のカウンタＤＡＩの値が１である場合、１ビットに対応する、請求項６に記載の方法。
【請求項１９】
前記第２のＳＬ  ＨＡＲＱ−ＡＣＫビット数が、前記１つ以上の第２のＤＣＩのうちの少なくとも１つが１つより多いＤＣＩを含むか、または前記第２のＤＣＩによって示される前記第２のカウンタＤＡＩの値が１より大きい場合、前記第２のスロットオフセットセットの濃度または前記第２のカウンタＤＡＩの値に対応する、請求項５に記載の方法。
【請求項２０】
前記第１のスロットが、前記第３のスロットと同じであり、当該方法が、
前記ネットワークから、１つ以上のサイドリンクリソースをスケジューリングする１つ以上の第２のＤＣＩを受信することと、
１つ以上のサイドリンクリソース上で１つ以上のサイドリンク送信を行うことであって、前記１つ以上の第２のＤＣＩが、１つ以上のＳＬ  ＨＡＲＱ−ＡＣＫを前記ネットワークに送信するための前記第３のスロットを示し、前記１つ以上のＳＬ  ＨＡＲＱ−ＡＣＫが、第２のＳＬ  ＨＡＲＱ−ＡＣＫビット数を有し、前記１つ以上のサイドリンク送信と関連付けられる、サイドリンク送信を行うことと、
上りリンク制御情報（ＵＣＩ）ペイロードであって、
前記第１のＨＡＲＱ−ＡＣＫビット数を有し、前記１つ以上のＨＡＲＱ−ＡＣＫを示す、１つ以上の第１のビット
前記第２のＳＬ  ＨＡＲＱ−ＡＣＫビット数を有し、前記１つ以上のＳＬ  ＨＡＲＱ−ＡＣＫを示す、１つ以上の第２のビットであって、前記１つ以上の第１のビットが、前記１つ以上の第２のビットに後続することと、連結されることとの少なくとも１つであることを含む、１つ以上の第２のビットと、を含むＵＣＩペイロードを生成することと、
前記１つ以上の第１のＤＣＩおよび前記１つ以上の第２のＤＣＩのうちの最後に受信したＤＣＩに基づいて上りリンクリソースを導出することと、
前記第３のスロットにおける前記上りリンクリソースにおいて前記ＵＣＩペイロードを送信することと、
のうちの少なくとも１つをすることと、を含む請求項１３に記載の方法。
【発明の詳細な説明】
【技術分野】
【０００１】
本願は、２０１９年２月２０日に出願された米国仮特許出願第６２／８０８，０１９号の利益を主張し、その全開示は、参照によりその全体が本明細書に援用される。
【０００２】
本開示は、概して、無線通信ネットワークに関し、より詳細には、無線通信システムにおけるサイドリンクおよび上りリンクハイブリッド自動再送要求確認応答（ＨＡＲＱ−ＡＣＫ）を処理するための方法および装置に関する。
【背景技術】
【０００３】
移動体通信デバイスとの大量データの通信に対する要求が急速に高まる中、従来の移動体音声通信ネットワークは、インターネットプロトコル（ＩＰ）データパケットをやり取りするネットワークへと発展している。そのようなＩＰデータパケット通信は、移動体通信デバイスのユーザに、ボイスオーバＩＰ、マルチメディア、マルチキャスト、およびオンデマンド通信サービスを提供可能である。
【０００４】
例示的なネットワーク構造は、発展型ユニバーサル地上無線アクセスネットワーク（Ｅ−ＵＴＲＡＮ）である。Ｅ−ＵＴＲＡＮシステムは、上記のボイスオーバＩＰおよびマルチメディアサービスを実現するために、高いデータスループットを提供可能である。現在、次世代（例えば、５Ｇ）の新しい無線技術が３ＧＰＰ標準化機構によって論じられている。このため、現行の３ＧＰＰ標準内容に対する変更が現在提出され、３ＧＰＰ標準の発展および確定に向けて検討されている。
【発明の概要】
【０００５】
本開示によれば、１つ以上のデバイスおよび／または方法が提供される。第１のデバイスから見た例では、第１のデバイが、ネットワークによって第２のスロットオフセットセットで構成される。第１のデバイスが、ネットワークから、サイドリンクリソースをスケジューリングする第２の下りリンク制御情報を受信する。第１のデバイスが、サイドリンクリソースにおいて、第２のデバイスへのサイドリンク送信を行う。第１のデバイスが、第４のスロットにおいて、第２のデバイスからのサイドリンクハイブリッド自動再送要求確認応答（ＳＬ  ＨＡＲＱ−ＡＣＫ）フィードバックを監視および／または受信する。ＳＬ  ＨＡＲＱ−ＡＣＫフィードバックが、サイドリンク送信に関連付けられている。第１のデバイスが、第４のスロットおよび第２のＤＣＩによって示される第２のスロットオフセット値に基づいて、ＳＬ  ＨＡＲＱ−ＡＣＫをネットワークに送信するための第３のスロットを導出する。第２のスロットオフセットセットが、第２のスロットオフセット値を含む。ＳＬ  ＨＡＲＱ−ＡＣＫが、受信したＳＬ  ＨＡＲＱ−ＡＣＫフィードバックに基づいて設定／導出／決定される。
【図面の簡単な説明】
【０００６】
【図１】１つの例示的な実施形態による、無線通信システムの図を示す。
【図２】１つの例示的な実施形態による、送信機システム（アクセスネットワークとしても知られる）および受信機システム（ユーザ機器またはＵＥとしても知られる）のブロック図である。
【図３】１つの例示的な実施形態による、通信システムの機能ブロック図である。
【図４】１つの例示的な実施形態による、図３のプログラムコードの機能ブロック図である。
【図５】１つの例示的な実施形態による、デバイスによるデータの送信および／または受信に関連する例示的なシナリオを示す図である。
【図６】１つの例示的な実施形態による、デバイスによるデータの送信および／または受信に関連する例示的なシナリオを示す図である。
【図７】１つの例示的な実施形態による、デバイスによるデータの送信および／または受信に関連する例示的なシナリオを示す図である。
【図８】１つの例示的な実施形態による、上りリンク制御情報（ＵＣＩ）ペイロードサイズを含む表である。
【図９】１つの例示的な実施形態による、ＵＣＩペイロードを示す図である。
【図１０】１つの例示的な実施形態による、ＵＣＩペイロードを示す図である。
【図１１】１つの例示的な実施形態による、ＵＣＩペイロードサイズを含む表である。
【図１２】１つの例示的な実施形態による、ＵＣＩペイロードサイズを含む表である。
【図１３】１つの例示的な実施形態による、フローチャートである。
【図１４】１つの例示的な実施形態による、フローチャートである。
【図１５】１つの例示的な実施形態による、フローチャートである。
【発明を実施するための形態】
【０００７】
以下に説明する例示的な無線通信システムおよびデバイスは、無線通信システムを採用し、ブロードキャストサービスをサポートする。無線通信システムは、音声、データ等の様々なタイプの通信を提供するように広く展開されている。これらのシステムは、符号分割多元接続（ＣＤＭＡ）、時間分割多元接続（ＴＤＭＡ）、直交周波数分割多元接続（ＯＦＤＭＡ）、第３世代パートナーシップ・プロジェクト（３ＧＰＰ）ＬＴＥ（Long  Term  Evolution、ロング・ターム・エボリューション）無線アクセス、３ＧＰＰ  ＬＴＥ−ＡもしくはＬＴＥ−Ａｄｖａｎｃｅｄ（Long  Term  Evolution  Advanced、ロング・ターム・エボリューション・アドバンスト）、３ＧＰＰ２  ＵＭＢ（Ultra  Mobile  Broadband、ウルトラ・モバイル・ブロードバンド）、ＷｉＭａｘ、または他の何らかの変調技術に基づいてよい。
【０００８】
特に、以下に説明する例示的な無線通信システムおよびデバイスは、本明細書において３ＧＰＰと呼ばれる「第３世代パートナーシップ・プロジェクト」という名称のコンソーシアムにより提示される標準などの１つ以上の標準をサポートするように設計されてよく、その標準は：3GPP  TS  36.213  V15.3.0  (2018-09)；“E-UTRA;  Physical  layer  procedures  (Release  15)”；  3GPP  TS  36.212  V15.2.1  (2018-07),  “E-UTRA；  Multiplexing  and  channel  coding  (Release  15)”；  3GPP  TS  36.211  V15.2.0  (2018-06),  “E-UTRA；  Physical  channels  and  modulation  (Release  15)”；  R1-1810051,  Final  Report  of  3GPP  TSG  RAN  WG1  #94  v1.0.0  (Gothenburg,  Sweden,  20th  -  24th  August  2018)；  R1-1812101,  Final  Report  of  3GPP  TSG  RAN  WG1  #94bis  v1.0.0  (Chengdu,  China,  8th  -  12h  October  2018)；  Draft  Report  of  3GPP  TSG  RAN  WG1  #95  v0.1.0  (Spokane,  USA,  12th  -  16h  November  2018)；  Draft  Report  of  3GPP  TSG  RAN  WG1  #AH_1901  v0.1.0  (Taipei,  Taiwan,  21st  -  25th  January  2019)；  RP-182111,  “Revised  SID:  Study  on  NR  V2X”,  LG  Electronics；  および3GPP  TS  38.213  V15.4.0  (2018-12),  “NR；  Physical  layer  procedures  for  control  (Release  15)”を含む。上記に挙げた標準および文書は、その全体が参照により本明細書に明示的に援用される。
【０００９】
図１は、本開示の１つ以上の実施形態による多重アクセス無線通信システムを表す。アクセスネットワーク１００（ＡＮ）は、複数のアンテナグループを含み、あるグループは１０４および１０６、別のグループは１０８および１１０、また別のグループは１１２および１１４を含む。図１においては、各アンテナグループに対して、アンテナが２つしか示されていないが、より多くのあるいはより少ないアンテナが各アンテナグループに利用されてよい。アクセス端末１１６（ＡＴ）は、アンテナ１１２および１１４と通信しており、アンテナ１１２および１１４は、順方向リンク１２０を介して情報をアクセス端末１１６に送信すると共に、逆方向リンク１１８を介して情報をアクセス端末１１６から受信している。アクセス端末（ＡＴ）１２２は、アンテナ１０６および１０８と通信しており、アンテナ１０６および１０８は、順方向リンク１２６を介して情報をアクセス端末（ＡＴ）１２２に送信すると共に、逆方向リンク１２４を介して情報をアクセス端末（ＡＴ）１２２から受信している。周波数分割複信（ＦＤＤ）システムにおいては、通信リンク１１８、１２０、１２４、および１２６は通信に異なる周波数を使用してもよい。例えば、順方向リンク１２０では、逆方向リンク１１８によって使用される周波数とは異なる周波数を使用してもよい。
【００１０】
アンテナの各グループおよび／またはアンテナが通信するように設計されたエリアは、アクセスネットワークのセクターと称することが多い。本実施形態において、アンテナグループは各々、アクセスネットワーク１００によってカバーされるエリアのセクターにおいて、アクセス端末と通信するように設計されてもよい。
【００１１】
順方向リンク１２０および１２６を介した通信において、アクセスネットワーク１００の送信アンテナは、異なるアクセス端末１１６および１２２に対する順方向リンクの信号対雑音比を改善するために、ビームフォーミングを利用してよい。また、そのカバレッジにランダムに分散したアクセス端末に送信するためにビームフォーミングを使用するアクセスネットワークは、単一のアンテナを通じてすべてのそのアクセス端末への送信を行うアクセスネットワークよりも、隣接セルのアクセス端末への干渉を少なくする。
【００１２】
アクセスネットワーク（ＡＮ）は、端末と通信するのに使用される固定局または基地局でよく、アクセスポイント、Ｎｏｄｅ  Ｂ、基地局、拡張型基地局、ｅＮｏｄｅＢ（ｅＮＢ）、または別の何らかの専門用語で呼ばれることもある。アクセス端末（ＡＴ）は、ユーザ機器（ＵＥ）、無線通信デバイス、端末、アクセス端末、または別の何らかの専門用語で呼ばれることもある。
【００１３】
図２は、多入力多出力（ＭＩＭＯ）システム２００における送信機システム２１０（アクセスネットワークとしても知られている）および受信機システム２５０（アクセス端末（ＡＴ）またはユーザ機器（ＵＥ）としても知られている）の実施形態を表す。送信機システム２１０では、ある数のデータストリームに対するトラフィックデータがデータ源２１２から送信（ＴＸ）データプロセッサ２１４に提供されてもよい。
【００１４】
一実施形態において、各データストリームは、それぞれの送信アンテナを介して送信される。ＴＸデータプロセッサ２１４は、データストリームに対して選択された特定の符号化方式に基づいて、各データストリームについてのトラフィックデータをフォーマット、符号化、およびインターリーブして、符号化データを提供する。
【００１５】
各データストリームについての符号化データが、直交周波数分割多重（ＯＦＤＭ）技術を使用してパイロットデータと多重化されてもよい。パイロットデータは、代表的には、既知の方式で処理される既知のデータパターンとしてもよく、受信機システムでチャネル応答を推定するのに使用されてもよい。そして、各データストリームについての多重化パイロットおよび符号化データが、データストリームについて選択される特定の変調スキーム（例えば、二位相偏移変調（ＢＰＳＫ）、四位相偏移変調（ＱＰＳＫ）、Ｍ値位相偏移変調（Ｍ−ＰＳＫ）、またはＭ値直交振幅変調（Ｍ−ＱＡＭ））に基づいて変調（すなわち、シンボルマッピング）されて、変調シンボルを提供する。各データストリームについてのデータレート、符号化、および変調は、プロセッサ２３０により実行される命令によって決定されてもよい。
【００１６】
そして、すべてのデータストリームについての変調シンボルはＴＸ  ＭＩＭＯプロセッサ２２０に提供され、これが（例えば、ＯＦＤＭについての）変調シンボルをさらに処理してよい。そして、ＴＸ  ＭＩＭＯプロセッサ２２０は、ＮＴ個の変調シンボルストリームをＮＴ個の送信機（ＴＭＴＲ）２２２ａ〜２２２ｔに提供する。特定の実施形態において、ＴＸ  ＭＩＭＯプロセッサ２２０は、ビームフォーミング加重をデータストリームのシンボルおよびシンボルが送信されているアンテナに適用する。
【００１７】
各送信機２２２は、各シンボルストリームを受信および処理して１つ以上のアナログ信号を提供し、さらに、アナログ信号を調節（例えば、増幅、フィルタリング、および／またはアップコンバート）して、ＭＩＭＯチャネルを介した送信に適した変調信号を提供する。そして、送信機２２２ａ〜２２２ｔからのＮＴ個の変調信号がそれぞれ、ＮＴ個のアンテナ２２４ａ〜２２４ｔから送信されてもよい。
【００１８】
受信機システム２５０においては、送信された変調信号はＮＲ個のアンテナ２５２ａ〜２５２ｒによって受信され、各アンテナ２５２からの受信信号が、それぞれの受信機（ＲＣＶＲ）２５４ａ〜２５４ｒに提供されてもよい。各受信機２５４は、それぞれの受信信号を調節（例えば、フィルタリング、増幅、およびダウンコンバート）して、調節された信号をディジタル化してサンプルを提供し、および／またはさらに、サンプルを処理して対応する「受信」シンボルストリームを提供してもよい。
【００１９】
そして、ＲＸデータプロセッサ２６０は、特定の受信機処理技術に基づいて、ＮＲ個の受信機２５４からのＮＲ個の受信シンボルストリームを受信および処理して、ＮＴ個の「検出」シンボルストリームを提供する。そして、ＲＸデータプロセッサ２６０は、各検出シンボルストリームを復調、デインターリーブ、および／または復号して、データストリームについてのトラフィックデータを復元する。ＲＸデータプロセッサ２６０による処理は、送信機システム２１０でのＴＸ  ＭＩＭＯプロセッサ２２０およびＴＸデータプロセッサ２１４により実行される処理と相補的である。
【００２０】
プロセッサ２７０は、どのプリコーディングマトリクス（後述）を使用するかを定期的に決定してもよい。プロセッサ２７０は、マトリクス・インデックス部分およびランク値部分を含む逆方向リンクメッセージを構築する。
【００２１】
逆方向リンクメッセージが、通信リンクおよび／または受信データストリームに関する様々なタイプの情報を含んでもよい。そして、逆方向リンクメッセージが、データ源２３６からのある数のデータストリームについてのトラフィックデータも受信し得るＴＸデータプロセッサ２３８により処理され、変調器２８０により変調され、送信機２５４ａ〜２５４ｒにより調節され、および／または送信機システム２１０に送り戻される。
【００２２】
送信機システム２１０では、受信機システム２５０からの変調信号がアンテナ２２４により受信され、受信機２２２により調節され、復調器２４０により復調され、ＲＸデータプロセッサ２４２により処理されて、受信機システム２５０により送信された逆方向リンクメッセージを抽出する。そして、プロセッサ２３０が、ビームフォーミング加重を決定するためにどのプリコーディングマトリクスを使用するかを決定してもよく、そして、抽出されたメッセージを処理してもよい。
【００２３】
図３を参照すると、この図は、本開示の主題による通信デバイスの代替的な簡易機能ブロック図を表す。図３に示されるように、無線通信システムにおける通信デバイスは、図１のＵＥ（若しくはＡＴ）１１６および１２２または図１の基地局（若しくはＡＮ）１００を実現するのに利用可能であり、無線通信システムがＬＴＥシステムであってもよい。通信デバイスは、入力デバイス３０２、出力デバイス３０４、制御回路３０６、中央演算処理装置（ＣＰＵ）３０８、メモリ３１０、プログラムコード３１２、およびトランシーバ３１４を含んでよい。制御回路３０６は、ＣＰＵ３０８を介してメモリ３１０内のプログラムコード３１２を実行することにより、通信デバイスの動作を制御する。通信デバイス３００は、キーボード、キーパッド等の入力デバイス３０２を介してユーザにより入力された信号を受信することができ、モニタ、スピーカ等の出力デバイス３０４を介して画像および音声を出力することができる。トランシーバ３１４は、無線信号を受信および送信するのに使用され、受信信号を制御回路３０６に伝達すると共に、制御回路３０６により生成された信号を無線で出力する。無線通信システムにおける通信デバイス３００は、図１のＡＮ１００を実現するのにも利用可能である。
【００２４】
図４は、本開示の主題による図３に示すプログラムコード３１２の簡易ブロック図である。この実施形態において、プログラムコード３１２は、アプリケーションレイヤ４００と、レイヤ３部分４０２と、レイヤ２部分４０４とを含み、レイヤ１部分４０６に結合されている。レイヤ３部分４０２が無線リソース制御を実行してもよい。レイヤ２部分４０４がリンク制御を実行してもよい。レイヤ１部分４０６が物理的接続を実行および／または実装する。
【００２５】
３ＧＰＰ  ＴＳ  ３６．２１３  Ｖ１５．３．０は、Ｖｅｈｉｃｌｅ−ｔｏ−Ｅｖｅｒｙｔｉｎｇ（Ｖ２Ｘ）送信のＵＥ手順を規定する。Ｖ２Ｘ送信は、サイドリンク送信モード３またはサイドリンク送信モード４として行われる。
［外１］
2020137127.tif 000003
2020137127.tif 000004
2020137127.tif 000005
【００２６】
３ＧＰＰ  ＴＳ  ３６．２１３  Ｖ１５．３．０は、ＵＥが、トランスポートブロックまたは下りＳｅｍｉ−Ｐｅｒｓｉｓｔｅｎｔ  Ｓｃｈｅｄｕｌｉｎｇ（ＳＰＳ、セミパーシステント・スケジューリング）リリースを示すＰｈｙｓｉｃａｌ  Ｄｏｗｎｌｉｎｋ  Ｃｏｎｔｒｏｌ  Ｃｈａｎｎｅｌ（ＰＤＣＣＨ、物理下りリンク制御チャネル）／Ｅｎｈａｎｃｅｄ  ＰＤＣＣＨ（ＥＰＤＣＣＨ、拡張ＰＤＣＣＨ）に依存して、ハイブリッド自動再送要求確認応答（ＨＡＲＱ−ＡＣＫ）フィードバックをネットワークに送信することを規定している。
［外２］
2020137127.tif 000006
2020137127.tif 000007
【００２７】
３ＧＰＰ  ＴＳ  ３６．２１２  Ｖ１５．２．１が、下りリンク制御情報を規定する。下りリンク共有チャネルおよび下りリンク制御情報は、ネットワークノードとＵｓｅｒ  Ｅｑｕｉｐｍｅｎｔ  （ＵＥ、ユーザ機器）との間の通信、すなわちＵｕリンクについてのものである。
［外３］
2020137127.tif 000008
【００２８】
また、３ＧＰＰ  ＴＳ  ３６．２１２  Ｖ１５．２．１がサイドリンク制御情報を規定する。サイドリンク共有チャネルおよびサイドリンク制御情報は、デバイス間の通信、すなわち、ＰＣ５リンクまたはデバイス間リンクについてのものである。
［外４］
2020137127.tif 000009
【００２９】
また、３ＧＰＰ  ＴＳ  ３６．２１１  Ｖ１５．２．０が、物理サイドリンク共用チャネルと物理サイドリンク制御チャネルの生成を規定する。物理サイドリンク共用チャネルおよび物理サイドリンク制御チャネルは、デバイス間の通信、すなわち、ＰＣ５リンクまたはデバイス間リンクについてのものである。物理サイドリンク共用チャネル（ＰＳＳＣＨ）は、サイドリンク共用チャネル（ＳＬ−ＳＣＨ）のためのデータ／トランスポートブロックを配信する。物理サイドリンク制御チャネル（ＰＳＣＣＨ）はサイドリンク制御情報（ＳＣＩ）を配信する。
【００３０】
ＲＰ−１８２１１１は、Ｎｅｗ  Ｒａｄｉｏ  Ａｃｃｅｓｓ  Ｔｅｃｈｎｏｌｏｇｙ  （ＮＲ）  Ｖ２Ｘに関する研究項目の正当性と目的を規定している。各使用ケースグループの詳細な説明が以下のように提供されている。
［外５］
2020137127.tif 000010
【００３１】
Ｒ１−１８１００５１では、ＲＡＮ１はＮＲ  Ｖ２Ｘに関するいくつかの合意をしている。
［外６］
2020137127.tif 000011
【００３２】
Ｒ１−１８１２１０１では、ＲＡＮ１はＮＲ  Ｖ２Ｘに関するいくつかの合意をしている。
［外７］
2020137127.tif 000012
【００３３】
３ＧＰＰ  ＴＳＧ  ＲＡＮ  ＷＧ１  ＃９５  ｖ０．１．０のＤｒａｆｔ  Ｒｅｐｏｒｔでは、ＲＡＮ１はＮＲ  Ｖ２Ｘに関するいくつかの合意をしている。
［外８］
2020137127.tif 000013
【００３４】
３ＧＰＰ  ＴＳＧ  ＲＡＮ  ＷＧ１  ＃ＡＨ＿１９０１  ｖ０．１．０のＤｒａｆｔ  Ｒｅｐｏｒｔでは、ＲＡＮ１はＮＲ  Ｖ２Ｘに関するいくつかの合意を有している。
［外９］
2020137127.tif 000014
【００３５】
３ＧＰＰ  ＴＳ  ３８．２１３  Ｖ１５．４．０では、ＨＡＲＱ−ＡＣＫコードブックを以下に引用する。
［外１０］
2020137127.tif 000015
2020137127.tif 000016
2020137127.tif 000017
2020137127.tif 000018
2020137127.tif 000019
2020137127.tif 000020
2020137127.tif 000021
2020137127.tif 000022
2020137127.tif 000023
2020137127.tif 000024
2020137127.tif 000025
2020137127.tif 000026
2020137127.tif 000027
2020137127.tif 000028
2020137127.tif 000029
2020137127.tif 000030
2020137127.tif 000031
2020137127.tif 000032
2020137127.tif 000033
【００３６】
以下の専門用語および仮定の一部または全部を以下使用することがある。
基地局（ＢＳ）：１つ以上のセルに関連付けられた１つ以上の送受信点（ＴＲＰ）を制御するために使用される、ネットワーク中央ユニットおよび／またはＮＲ内のネットワークノード。ＢＳとＴＲＰとの間の通が、フロントホールを介してもよい。ＢＳは、中央ユニット（ＣＵ）、進化型ＮｏｄｅＢ（ｅＮＢ）、次世代ＮｏｄｅＢ（ｇＮＢ）および／またはＮｏｄｅＢと呼ばれてもよい。
セル：セルは、１つ以上の関連付けられたＴＲＰを含み得る。例えば、セルのカバレッジが、１つ以上の関連付けられたＴＲＰのカバレッジから構成されている。１つのセルが、１つのＢＳによって制御されてもよい。セルはＴＲＰグループ（ＴＲＰＧ）と呼ばれることがある。
ＮＲ−ＰＤＣＣＨ：ＮＲ−ＰＤＣＣＨは、ＵＥとネットワーク側との間の通信を制御するために使用される下りリンク制御信号を搬送し得るチャネルである。ネットワークが、設定された制御リソースセット（ＣＯＲＥＳＥＴ）上でＮＲ−ＰＤＣＣＨをＵＥに送信してもよい。
上りリンク制御信号（ＵＬ制御信号）：ＵＬ制御信号は、下りリンク送信のためのスケジューリング要求（ＳＲ）、チャネル状態情報（ＣＳＩ）および／またはＨＡＲＱ−ＡＣＫ／ネガティブ確認応答（ＮＡＣＫ）であり得る。
スロット：スロットは、ＮＲにおけるスケジューリング単位であり得る。スロット継続時間（例えば、スロットの継続時間）は１４の直交周波数分割多重（ＯＦＤＭ）シンボルである。
下りリンク共通信号（ＤＬ共通信号）：ＤＬ共通信号は、セル内の複数のＵＥまたはセル内のすべてのＵＥをターゲットとする共通情報を搬送するデータチャネルであり得る。ＤＬ共通信号の例には、システム情報、ページング、Ｒａｎｄｏｍ  Ａｃｃｅｓｓ  Ｒｅｓｐｏｎｓｅ（ＲＡＲ）などが含まれるが、これらに限定されない。
【００３７】
ＵＥ側について：
少なくとも２つのＵＥ（ＲＲＣ）状態：接続状態（アクティブ状態とも呼ばれる）と非接続状態（非アクティブ状態および／またはアイドル状態とも呼ばれる）がある。非アクティブ状態が、追加の状態であってもよく、および／または接続状態および／または非接続状態に属してもよい。
【００３８】
ＬＴＥ／ＬＴＥ−Ａ  Ｖ２Ｘおよび／またはＰｅｄｅｓｔｒｉａｎ−ｔｏ−Ｅｖｅｒｙｔｉｎｇ（Ｐ２Ｘ）送信には、２つの送信モードがある：３ＧＰＰ  ＴＳ  ３６．２１２  Ｖ１５．２．１において説明されているように、サイドリンク送信モード３などのネットワークを介してスケジューリングされた送信モードと、３ＧＰＰ  ＴＳ  ３６．２１２  Ｖ１５．２．１において説明されているように、サイドリンク送信モード４などのセンシングベースの送信モードである。センシングベースの送信はネットワークを介してスケジューリングされないため、ＵＥが、他のＵＥからのおよび／または他のＵＥにおけるリソース衝突および干渉を回避するために、送信のためのリソースを選択する前にセンシングを行ってもよい。
【００３９】
サイドリンク送信モード３の場合、ネットワークノードが、ＰＳＣＣＨおよび／またはＰＳＳＣＨをスケジューリングするために、Ｕｕインターフェースで、ＬＴＥ／ＬＴＥ−ＡのＤＣＩフォーマット５Ａのようなサイドリンクグラント（ＳＬグラント）を送信してもよい。Ｖ２Ｘ  ＵＥが、受信したＳＬグラントおよび／または受信したＤＣＩフォーマット５Ａに応答して、ＰＣ５インターフェースでＰＳＣＣＨおよび／またはＰＳＳＣＨを行ってもよい（例えば、Ｖ２Ｘ  ＵＥが、ＰＳＣＣＨおよび／またはＰＳＳＣＨを送信してもよい）（例えば、Ｖ２Ｘ  ＵＥが、ＳＬグラントおよび／またはＤＣＩフォーマット５Ａを受信することに応答してＰＣ５インターフェースでＰＳＣＣＨおよび／またはＰＳＳＣＨを送信してもよい）。Ｕｕインターフェースが、ネットワークとＵＥとの間の通信のための無線インターフェースに対応する。ＰＣ５インターフェースが、ＵＥ間の通信のための無線インターフェースに対応する。
【００４０】
ＤＣＩフォーマット５Ａが、ＰＳＣＣＨおよび／またはＰＳＳＣＨの１つの送信機会をスケジューリングすることができ、ＤＣＩフォーマット５Ａが、サイドリンクＶ２Ｘ  Ｒａｄｉｏ  Ｎｅｔｗｏｒｋ  Ｔｅｍｐｏｒａｒｙ  Ｉｄｅｎｔｉｆｉｅｒ（ＳＬ−Ｖ−ＲＮＴＩ、Ｖ２Ｘ無線ネットワーク一時識別子）を介してＣＲＣスクランブルされている。代替的および／または追加的に、ＤＣＩフォーマット５Ａが、ＰＳＣＣＨおよび／またはＰＳＳＣＨのセミパーシステント周期的送信機会をスケジューリングしてもよく、ＤＣＩフォーマット５Ａが、Ｓｅｍｉ−Ｐｅｒｓｉｓｔｅｎｔ  Ｓｃｈｅｄｕｌｉｎｇ（ＳＰＳ、セミパーシステント・スケジューリング）Ｖ２Ｘ  Ｒａｄｉｏ  Ｎｅｔｗｏｒｋ  Ｔｅｍｐｏｒａｒｙ  Ｉｄｅｎｔｉｆｉｅｒ（ＲＮＴＩ、無線ネットワーク一時識別子）（ＳＬ−ＳＰＳ−Ｖ−ＲＮＴＩ）を介してＣＲＣスクランブルされている。
【００４１】
１つの送信機会に対して、ＵＥが、トランスポートブロックに対してＰＳＳＣＨ送信（例えば、新しいＰＳＳＣＨ送信）および／またはＰＳＳＣＨ再送信を行ってもよい。ｎ個の送信機会に対して、ＵＥが、ｎ個のトランスポートブロックに対してｎ個のＰＳＳＣＨ送信（例えば、ｎ個の新しいＰＳＳＣＨ送信）および／またはｎ個のＰＳＳＣＨ再送信を行ってもよい。
【００４２】
ＮＲ  Ｖ２Ｘでは、ＮＲ−Ｖ２Ｘサイドリンク通信のために、少なくとも２つのサイドリンクリソース割り当てモードが定義されている。少なくとも２つのサイドリンクリソース割り当てモードが、ＮＲ  Ｖ２Ｘ／ＳＬモード１およびＮＲ  Ｖ２Ｘ／ＳＬモード２を含んでもよい。ＬＴＥ  Ｖ２Ｘのサイドリンク送信モード３が、ＮＲ  Ｖ２Ｘ／ＳＬモード１を検討するための開始点および／または基礎となることがある。ＬＴＥ  Ｖ２Ｘのサイドリンク送信モード４が、ＮＲ  Ｖ２Ｘ／ＳＬモード２を検討するための開始点または基礎となることがある。
【００４３】
ＮＲ  Ｖ２ＸにおけるＨＡＲＱフィードバックのサポートが、ＮＲ  Ｖ２Ｘの高い信頼性要件および／または高いスループット要件により考慮される。例えば、ＨＡＲＱフィードバックのサポートを提供するＮＲ  Ｖ２Ｘシステムでは、送信側デバイスが、第１のサイドリンクデータ送信を受信側デバイスに送信し、受信側デバイスが、ＨＡＲＱフィードバックを送信側デバイスに送信してもよい。ＨＡＲＱフィードバックがＡＣＫに対応する例では、ＨＡＲＱフィードバックが、受信側デバイスが第１のサイドリンクデータ送信を正常に受信および／または復号することを示してもよい。送信側デバイスがＡＣＫに対応するＨＡＲＱフィードバックを受信する例では、ＨＡＲＱフィードバックを受信することに応答して、送信側デバイスが、第２のサイドリンクデータ送信を受信側デバイスに送信してもよい。ＨＡＲＱフィードバックがＮＡＣＫに対応する例では、ＨＡＲＱフィードバックが、受信側デバイスが第１のサイドリンクデータ送信を正常に受信および／または復号しないことを示してもよい。送信側デバイスがＮＡＣＫに対応するＨＡＲＱフィードバックを受信する例では、ＨＡＲＱフィードバックを受信することに応答して、送信側デバイスが、第１のサイドリンクデータ送信を受信側デバイスに再送信してもよい。例えば、送信側デバイスが、第１のサイドリンクデータ送信のデータパケットを含む第３のサイドリンクデータ送信を送信することによって、第１のサイドリンクデータ送信を再送信してもよい。第３のサイドリンクデータ送信が第１のサイドリンクデータ送信と同じデータパケットを搬送するため、受信側デバイスが、第１のサイドリンクデータ送信と第３のサイドリンクデータ送信とを組み合わせて、第１のサイドリンクデータ送信と第３のサイドリンクデータ送信とに基づいて、データパケットの復号を行ってもよい。第１のサイドリンクデータ伝送と第３のサイドリンクデータ伝送を組み合わせ、第１のサイドリンクデータ伝送と第３のサイドリンクデータ伝送に基づいてデータパケットの復号を実行することにより、データパケットが正常に復号される可能性を高めることができる。ＮＲ  Ｖ２Ｘ／ＳＬモード１の場合、サイドリンクリソースがネットワーク（例えば、ｇＮＢ）によってスケジューリングされるため、送信側デバイスがサイドリンク再送信を行う必要がある場合、（サイドリンク再送信を行うために）送信側デバイスがネットワークに通知し、および／またはネットワークから１つ以上の再送信リソースを要求する必要があると思われる。送信側デバイスおよび／または受信側デバイスが、ネットワークに指示を送信するための候補であり得る。
【００４４】
Ｒｅｌ−１５  ＮＲ（例えば、ＮＲのＲｅｌｅａｓｅ１５）では、ＵＥが、１つ以上のｄｌ−ＤａｔａＴｏＵＬ−ＡＣＫ値で設定され得る。１つ以上のｄｌ−ＤａｔａＴｏＵＬ−ＡＣＫ値うちのｄｌ−ＤａｔａＴｏＵＬ−ＡＣＫ値（例えば、ｋ１）が、Ｐｈｙｓｉｃａｌ  Ｄｏｗｎｌｉｎｋ  Ｓｈａｒｅｄ  Ｃｈａｎｎｅｌ（ＰＤＳＣＨ、物理下りリンク共有チャネル）（および／または、ＳＰＳ解放を示すＰＤＣＣＨの受信）のためのスロットと、関連付けられたＨＡＲＱ−ＡＣＫフィードバック（例えば、ＰＤＳＣＨ受信および／または、ＳＰＳ解放を指示するＰＤＣＣＨの受信に関連付けられたＨＡＲＱ−ＡＣＫフィードバック）を送信するためのスロットとの間のスロットオフセットを提供し、および／または指示する。スロット（例えば、スロット＃ｎ）に対して、ＵＥが１つ以上の対応するＨＡＲＱ−ＡＣＫをフィードバックとして送信してもよく、１つ以上の対応するＨＡＲＱ−ＡＣＫに関連付けられた数（例えば、１つ以上の対応するＨＡＲＱ−ＡＣＫのビット数および／または１つ以上の対応するＨＡＲＱ−ＡＣＫのＨＡＲＱ−ＡＣＫ数）が、ｄｌ−ＤａｔａＴｏＵＬ−ＡＣＫの１つ以上の設定値の数に基づいて決定される。例えば、ＵＥが、ｋ１＝｛０，１，２，３，４，５，６，７｝で設定され得る。ＵＥが、スロット＃ｎにおいて１つ以上のＨＡＲＱ−ＡＣＫを送信してもよく、ここで、１つ以上のＨＡＲＱ−ＡＣＫが、スロット＃ｎ−ｋ１の１つ以上のスロットにおける１つ以上のＰＤＳＣＨ受信に対応する（例えば、ｋ１＝｛０，１，２，３，４，５，６，７｝の例では、スロット＃ｎ−ｋ１が、スロット＃ｎ−７、スロット＃ｎ−６などを含み得る）。しかしながら、ＮＲサイドリンクモード−１（例えば、ＮＲ  Ｖ２Ｘ／ＳＬモード１）の場合、スケジューリングされたリソースがＰＤＳＣＨからサイドリンクリソースに変更されるため、ｄｌ−ＤａｔａＴｏＵＬ−ＡＣＫ値（例えば、ｋ１）を解釈するための参照スロットとしてのスケジューリングされたＰＤＳＣＨは存在しないことがある。したがって、ＮＲサイドリンクモード−１の場合、サイドリンク再送リソースのための要件および／または必要性の指示を伝達するＰＵＣＣＨを送信するためのＰｈｙｓｉｃａｌ  Ｕｐｌｉｎｋ  Ｃｏｎｔｒｏｌ  Ｃｈａｎｎｅｌ（ＰＵＣＣＨ、物理上りリンク制御チャネル）タイミング（例えば、スロット）を決定するための適切な技術が必要とされる。本開示の少なくとも一部が、サイドリンク再送リソースのための要件および／または必要性を伝達するＰＵＣＣＨを送信するためのＰＵＣＣＨタイミング（例えば、スロット）を決定するために使用され得る技術を提供する。
【００４５】
代替的および／または追加的に、Ｒｅｌ−１５  ＮＲでは、タイプ１ＨＡＲＱ−ＡＣＫコードブックおよびタイプ２のＨＡＲＱ−ＡＣＫコードブックの２つのタイプのＨＡＲＱ−ＡＣＫコードブックがある。タイプ１ＨＡＲＱ−ＡＣＫコードブックは半静的コードブックであり、タイプ２ＨＡＲＱ−ＡＣＫコードブックは動的コードブックである。ＵＥが、タイプ１ＨＡＲＱ−ＡＣＫコードブックまたはタイプ２ＨＡＲＱ−ＡＣＫコードブックのいずれかなど、ＨＡＲＱ−ＡＣＫフィードバックのための２つのタイプのうちの１つで設定され得る。タイプ１ＨＡＲＱ−ＡＣＫコードブックに対して、コードブック内のＨＡＲＱ−ＡＣＫビットが、スロットセット内の監視機会の数または濃度（cardinality）に基づいて決定され、スロットセットが、設定されたｄｌ−ＤａｔａＴｏＵＬ−ＡＣＫに基づいて決定される。一例では、ＵＥが、８つのｄｌ−ＤａｔａＴｏＵＬ−ＡＣＫ値で設定され得る。この例では、単一セルに対して、下りリンクスロットが監視機会を提供する場合、コードブック内のＨＡＲＱ−ＡＣＫビットは８である。言い換えると、ＵＥがｄｌ−ＤａｔａＴｏＵＬ−ＡＣＫに関連付けられた１つ以上のスロット（および／またはｄｌ−ＤａｔａＴｏＵＬ−ＡＣＫに関連付けられたスロットの一部）で１つ以上のＰＤＳＣＨを受信する場合、ＨＡＲＱ−ＡＣＫコードブックのサイズが同じままであってもよい。タイプ２ＨＡＲＱ−ＡＣＫコードブックに対して、ＨＡＲＱ−ＡＣＫビットが、下りリンク割り当てインデックス（ＤＡＩ）（例えば、カウンタＤＡＩおよび／またはトータルＤＡＩ）に基づいて決定され得る。
【００４６】
さらに、Ｒｅｌ−１５  ＮＲでは、スロット＃ｎにおいて１つ以上のＨＡＲＱ−ＡＣＫを搬送するＰＵＣＣＨのリソース割り当てが、少なくともＵｐｌｉｎｋ  Ｃｏｎｔｒｏｌ  Ｉｎｆｏｒｍａｔｉｏｎ（ＵＣＩ、上りリンク制御情報）ペイロードサイズ（例えば、ＨＡＲＱ−ＡＣＫビット数）および／またはスロット＃ｎ−ｋ１において最後に受信した下りリンク割り当て（例えば、スロット＃ｎ−ｋ１おいてもっとも最近に受信した下りリンク割り当て）に基づいて決定される。最後に受信した下りリンク割り当てが、ＰＵＣＣＨリソースインデックスに対応し、および／または生成し得るＰＵＣＣＨリソースオフセット（ＰＲＯ）を示してもよい。例えば、ＰＵＣＣＨリソースインデックスが、ＰＲＯに基づいて決定および／または生成されてもよい。ＵＥが、最大４つのＰＵＣＣＨリソースセット（および／または異なる数のＰＵＣＣＨリソースセット）で設定され得る。ＵＥが、ＵＣＩペイロードサイズに基づいて、４つのＰＵＣＣＨリソースセットのうちのＰＵＣＣＨリソースセットを決定および／または選択することができる。ＵＥが、生成されたＰＵＣＣＨリソースインデックスに基づいて、ＰＵＣＣＨリソースセット内のＰＵＣＣＨリソースを決定することができる。タイプ１ＨＡＲＱ−ＡＣＫコードブックに対して、カウンタＤＡＩ値｛１｝でスロット＃ｎ−ｋ１において１つの下りリンク割り当てのみが受信される場合、ＵＥはＵＣＩペイロードサイズを１ビットと決定する。ＵＥは１ビットに基づいてＰＵＣＣＨリソースセットを決定することができ、および／またはＵＥは生成されたＰＵＣＣＨリソースインデックスに基づいてＰＵＣＣＨリソースを決定することができる。
【００４７】
ＮＲ  Ｖ２Ｘ／ＳＬモード１の場合、サイドリンク送信はネットワークによって送信されるＳＬグラントによりスケジューリングされる。（ＮＲ  Ｖ２Ｘ／ＳＬモード１の）送信側デバイスが、ＳＬグラントに基づいてサイドリンク送信を行ってもよい。ユニキャストサイドリンク送信の場合、送信側デバイスが、サイドリンクフィードバックチャネルを介して受信側デバイスからサイドリンク送信に対応するサイドリンクＨＡＲＱ−ＡＣＫ（ＳＬ  ＨＡＲＱ−ＡＣＫ）フィードバックを受信してもよい。ＳＬ  ＨＡＲＱ−ＡＣＫのフィードバックがＮＡＣＫを示すか、または送信側デバイスがＳＬ  ＨＡＲＱ−ＡＣＫのフィードバックを受信しない場合、受信側デバイスおよび／または送信側デバイスがネットワークにサイドリンク再送信のスケジューリングを通知および／または要求することが要求され（および／または必要とされ）てもよい。送信側デバイスがサイドリンク再送信のスケジューリングをネットワークに通知および／または要求するシナリオにおいて、送信側デバイスが、サイドリンク再送信を通知するために、指示（例えば、ＳＬ  ＨＡＲＱ−ＡＣＫおよび／またはＳＲ）をネットワークに送信してもよい。指示が、ＰＵＣＣＨまたはＰｈｙｓｉｃａｌ  Ｕｐｌｉｎｋ  Ｓｈａｒｅｄ  Ｃｈａｎｎｅｌ（ＰＵＳＣＨ、物理上りリンク共有チャネル）上で送信され得る。しかしながら、適切な技術が、現在知られておらず、送信側デバイスが単一スロットにおいて、ＵｕインターフェースのためのＨＡＲＱ−ＡＣＫおよび（ＰＣ５インターフェースのための）指示を同時などにより、送信するように要求および／または設定されるシナリオに対処することが必要とされる。本開示の少なくとも一部が、送信側デバイスが単一スロットにおいて、ＵｕインターフェースのためのＨＡＲＱ−ＡＣＫおよび（ＰＣ５インターフェースのための）指示を同時などにより、送信するように要求および／または設定されるシナリオに対処するために使用され得る技術を提供する。
【００４８】
図５が、送信側デバイスに関連する例示的なシナリオを示す。いくつかの実施形態では、ＳＬグラントが、期間５０２において送信側デバイスによって受信される。いくつかの実施形態では、送信側デバイスが、ＳＬグラントに基づいて第１のサイドリンク送信を行う。例えば、サイドリンク送信が、期間５０８においてサイドリンク信号を送信することによって実行されてもよい。サイドリンク信号が、サイドリンクデータ、サイドリンク制御データおよび／またはＳＣＩを含み得る。送信側デバイスが、期間５１０においてサイドリンク送信に関連付けられたＰｈｙｓｉｃａｌ  Ｓｉｄｅｌｉｎｋ  Ｆｅｅｄｂａｃｋ  Ｃｈａｎｎｅｌ（ＰＳＦＣＨ、物理サイドリンクフィードバックチャネル）を、受信してもよい。いくつかの実施形態では、ＰＳＦＣＨが、ＳＬ  ＨＡＲＱ−ＡＣＫフィードバックなど、サイドリンク送信に関連付けられたフィードバックを含む。いくつかの実施形態では、ＰＤＣＣＨ１および／またはＰＤＳＣＨ１が、期間５０４において送信側デバイスによって受信される。いくつかの実施形態では、ＰＤＣＣＨ２および／またはＰＤＳＣＨ２が、期間５０６において送信側デバイスによって受信される。
【００４９】
いくつかの実施形態では、送信側デバイスが、スロット５１２（例えば、スロット＃ｎ）においてＵｕインターフェースで、ＳＬ  ＨＡＲＱ−ＡＣＫなどの指示を送信するように、指示、命令、必要とされ、および／または設定される。いくつかの実施形態では、その指示が、サイドリンク送信および／またはＰＳＦＣＨに関連付けられる。いくつかの実施形態では、送信側デバイスが、スロット５１２においてＵｕインターフェースに関連付けられた１つ以上のＨＡＲＱ−ＡＣＫを送信するように指示され、命令され、必要とされ、および／または設定される。いくつかの実施形態では、１つ以上のＨＡＲＱ−ＡＣＫが、ＰＤＣＣＨ１、ＰＤＳＣＨ１、ＰＤＣＣＨ２および／またはＰＤＳＣＨ２に関連付けられる。図５の例示的なシナリオでは、指示を送信するためのスロット５１２におけるリソースが、Ｕｕインターフェースに関連付けられた１つ以上のＨＡＲＱ−ＡＣＫを送信するためのスロット５１２におけるリソースと重複（例えば、タイムリーに重複）してもよい。
【００５０】
本明細書では、１つ以上の前述の状況、例えば、デバイスが、同一スロットにおいて、および／または同時にネットワークへの多重送信を行うように、指示され、命令され、および／または設定される状況（例えば、多重送信が、サイドリンク再送信をスケジューリングするための１つ以上のＳＬ  ＨＡＲＱ−ＡＣＫと、Ｕｕインターフェースに関連付けられた１つ以上のＨＡＲＱ−ＡＣＫとを含み得る）に対する解決策を提供する１つ以上の技術が提供される。
【００５１】
本開示の第１の概念では、ネットワークが、Ｕｕインターフェースに関連付けられた１つ以上のＨＡＲＱ−ＡＣＫのための第１のリソース、および／または１つ以上のＳＬ  ＨＡＲＱ−ＡＣＫのための第２のリソースを設定および／または指示し、第１のリソースが、第２のリソースから分離および／または直交する。Ｕｕインターフェースに関連付けられたＨＡＲＱ−ＡＣＫが、Ｕｕインターフェースを介してデバイスによって受信および／または復号される情報に関連付けられたＨＡＲＱ−ＡＣＫフィードバックに対応してもよい。いくつかの実施形態では、第１のリソースが、時間領域において第２のリソースから分離している。いくつかの実施形態では、第１のリソースおよび第２のリソースが、あるスロット内にあり得る。いくつかの実施形態では、送信側デバイスが、Ｕｕインターフェースに関連付けられた１つ以上のＨＡＲＱ−ＡＣＫのための第１のリソース、および１つ以上のＳＬ  ＨＡＲＱ−ＡＣＫのための第２のリソースを送信してもよく、第１のリソースおよび第２のリソースが、同じスロット内にあり、時間領域において分離している。いくつかの実施形態では、第１のリソースおよび第２のリソースが、スロット内の別個のおよび／または重複しないシンボルを占有している（例えば、第１のリソースが、スロット内の１つ以上の第１のシンボルを占有してもよく、第２のリソースが、そのスロット内の１つ以上の第２のシンボルを占有してもよく、１つ以上の第１のシンボルが、１つ以上の第２のシンボルとは別個および／または分離している）。
【００５２】
本開示の第２の概念では、送信側デバイスが、スロット内のリソースにおいて、１つ以上のＳＬ  ＨＡＲＱ−ＡＣＫおよびＵｕインターフェースに関連付けられた１つ以上のＨＡＲＱ−ＡＣＫを多重化する。言い換えると、送信側デバイスが、スロット内のリソースにおいて、１つ以上のＳＬ  ＨＡＲＱ−ＡＣＫおよび／またはＵｕインターフェースに関連付けられた１つ以上のＨＡＲＱ−ＡＣＫを含む、対応するＨＡＲＱ−ＡＣＫ情報を送信側デバイスが送信することができる、候補ＰＤＳＣＨ受信（および／または、ＳＰＳ解放を示すＰＤＣＣＨの受信）、および／または候補ＳＬグラント受信のための機会のセットを決定する。
【００５３】
本開示の第３の概念では、受信側デバイスが、スロット内のリソースにおいて、１つ以上のＳＬ  ＨＡＲＱ−ＡＣＫおよびＵｕインターフェースに関連付けられた１つ以上のＨＡＲＱ−ＡＣＫを多重化する。言い換えると、受信側デバイスが、スロット内のリソースにおいて、１つ以上のＳＬ  ＨＡＲＱ−ＡＣＫおよび／またはＵｕインターフェースに関連付けられた１つ以上のＨＡＲＱ−ＡＣＫを含む、対応するＨＡＲＱ−ＡＣＫ情報を受信側デバイスが送信することができる、候補ＰＤＳＣＨ受信（および／または、ＳＰＳ解放を示すＰＤＣＣＨの受信）、および／または候補ＳＬ受信のための機会のセットを決定する。いくつかの実施形態では、サイドリンク受信が、ＰＳＣＣＨおよび／またはＰＳＳＣＨの受信に対応してもよい。
【００５４】
実施形態１
【００５５】
ネットワークが、スロットにおいて、第１のリソースセットおよび第２のリソースセットで第１のデバイスを設定する。いくつかの実施形態では、第１のリソースセットが、Ｕｕインターフェースに関連付けられた１つ以上のＨＡＲＱ−ＡＣＫを送信するために使用されるリソースを示す。いくつかの実施形態では、第２のリソースセットが、１つ以上のＳＬ  ＨＡＲＱ−ＡＣＫを送信するために使用されるリソースを示す。いくつかの実施形態では、第１のリソースセットが、時間領域において第２のリソースセットから分離している（例えば、第１のリソースセットによって示される１つ以上のリソースが、第２のリソースセットによって示される１つ以上のリソースから分離し得る）。代替的および／または追加的には、第１のデバイスが、第１のリソースセットうちの第１のリソースにおいて１つ以上のＳＬ  ＨＡＲＱ−ＡＣＫの１つ以上の送信を実行し、第２のリソースセットうちの第２のリソースにおいてＵｕインターフェースに関連付けられた１つ以上のＨＡＲＱ−ＡＣＫの１つ以上の送信を実行してもよく、第１のリソースおよび第２のリソースが、同じスロット内であり、時間領域において分離している。いくつかの実施形態では、第１のリソースおよび第２のリソースが、スロット内の別個のおよび／または重複しないシンボルを占有する。
【００５６】
代替的および／または追加的に、ネットワークが、Ｕｕインターフェースに関連付けられた１つ以上のＨＡＲＱ−ＡＣＫのための第１のスロットにおける第１のリソースセット、および／または１つ以上のＳＬ  ＨＡＲＱ−ＡＣＫのための第２のスロットにおける第２のリソースセットで第１のデバイスを設定する。いくつかの実施形態では、第１のスロットが第１のスロットセットに属し（および／またはスロットセット内にある）、第２のスロットが第２のスロットセットに属する（および／またはスロットセット内にある）。いくつかの実施形態では、第１のスロットセットのうちのスロットが、第２のスロットセットのうちのスロットとは異なる。いくつかの実施形態では、第１のスロットセットのうちの各スロットが、第２のスロットセットのうちの各スロットとは異なる。いくつかの実施形態では、第１のスロットが、第２のスロットとは異なる。いくつかの実施形態では、第１のスロットセットうちのスロットが、第１のデバイスがＵｕインターフェースに関連付けられた１つ以上のＨＡＲＱ−ＡＣＫを送信するために使用される。いくつかの実施形態では、第２のスロットセットうちのスロットが、第１のデバイスが１つ以上のＳＬ  ＨＡＲＱ−ＡＣＫを送信するために使用される。いくつかの実施形態では、ネットワークは、第２のスロットセットのうちのスロットにおいて、Ｕｕインターフェースに関連付けられたＨＡＲＱ−ＡＣＫフィードバックを設定および／またはスケジューリングすることを許可されず、および／または設定されない（例えば、ネットワークは、第２のスロットセットのうちのスロットにおいて、Ｕｕインターフェースフィードバックに関連付けられた１つ以上のＨＡＲＱ−ＡＣＫを設定および／またはスケジューリングすることを防止および／または禁止される）。例えば、ネットワークが、第２のスロットセットのうちのスロットにおいて、Ｕｕインターフェースに関連付けられたＨＡＲＱ−ＡＣＫフィードバックを設定および／またはスケジューリングしなくてもよい。いくつかの実施形態では、ネットワークは、第１のスロットセットのうちのスロットにおいて、ＳＬ  ＨＡＲＱ−ＡＣＫを設定および／またはスケジューリングすることを許可されず、および／または設定されない（例えば、ネットワークは、第２のスロットセットのうちのスロットにおいて、Ｕｕインターフェースフィードバックに関連付けられた１つ以上のＨＡＲＱ−ＡＣＫを設定および／またはスケジューリングすることを防止および／または禁止される）。例えば、ネットワークが、第１のスロットセットのうちのスロットにおいて、ＳＬ  ＨＡＲＱ−ＡＣＫを設定および／またはスケジューリングしなくてもよい。
【００５７】
図６が、実施形態１など、本開示の１つ以上の実施形態による例示的なシナリオを示す。いくつかの実施形態では、ＰＤＣＣＨ１および／またはＰＤＳＣＨ１が、期間６０２において第１のデバイスによって受信される。いくつかの実施形態では、ＰＤＣＣＨ２および／またはＰＤＳＣＨ２が、期間６０４において第１のデバイスによって受信される。いくつかの実施形態では、ＰＤＣＣＨ１、ＰＤＳＣＨ１、ＰＤＣＣＨ２および／またはＰＤＳＣＨ２は、Ｕｕインターフェースを介して受信されるような下りリンクデータに対応する。いくつかの実施形態では、ＰＤＣＣＨ１および／またはＰＤＣＣＨ２が、ＳＰＳ解放を示してもよい。いくつかの実施形態では、サイドリンクデータ、サイドリンク制御データ、１つ以上のＳＬ  ＨＡＲＱ−ＡＣＫフィードバックおよび／またはＳＣＩを含むようなサイドリンク信号１が、期間６０６において第１のデバイスによって受信される。いくつかの実施形態では、サイドリンクデータ、サイドリンク制御データ、１つ以上のＳＬ  ＨＡＲＱ−ＡＣＫフィードバックおよび／またはＳＣＩを含むようなサイドリンク信号２が、期間６０８において第１のデバイスによって受信される。
【００５８】
いくつかの実施形態では、ネットワークが、１つ以上のＳＬ  ＨＡＲＱ−ＡＣＫの送信のために、第１のデバイスのために第１のスロット６１０を設定してもよい。いくつかの実施形態では、ネットワークが、Ｕｕインターフェースに関連付けられた１つ以上のＨＡＲＱ−ＡＣＫの送信のために、第１のデバイスのために第２のスロット６１２を設定してもよい。第１のスロット６１０が、第２のスロット６１２から分離していてもよい。例えば、第１のスロット６１０が、スロット＃ｎ−１に対応し、および／または第２のスロット６１２が、スロット＃ｎに対応してもよい。第１のデバイスが、第１のスロット６１０において１つ以上のＳＬ  ＨＡＲＱ−ＡＣＫを送信してもよい。１つ以上のＳＬ  ＨＡＲＱ−ＡＣＫが、サイドリンク信号１および／またはサイドリンク信号２に関連付けられたＳＬ  ＨＡＲＱ−ＡＣＫフィードバックに対応してもよい。１つ以上のＳＬ  ＨＡＲＱ−ＡＣＫが、サイドリンク信号１および／またはサイドリンク信号２に対応してもよい。第１のデバイスが、第２のスロット６１２において、Ｕｕインターフェースに関連付けられた１つ以上のＨＡＲＱ−ＡＣＫを送信してもよい。いくつかの実施形態では、Ｕｕインターフェースに関連付けられた１つ以上のＨＡＲＱ−ＡＣＫが、ＰＤＣＣＨ１、ＰＤＳＣＨ１、ＰＤＣＣＨ２および／またはＰＤＳＣＨ２に関連付けられたフィードバックに対応してもよい。
【００５９】
いくつかの実施形態では、第１のデバイスが、第１の複数のスロットオフセット（例えば、ｋ１）で設定される。いくつかの実施形態では、第１の複数のスロットオフセットのうちのスロットオフセットが、ＰＤＳＣＨ受信（および／またはＳＰＳ解放を示すＰＤＣＣＨの受信）のためのスロットからＨＡＲＱ−ＡＣＫ送信のためのスロットまでのスロットオフセットを提供する。一例では、第１の複数のスロットオフセットのうちのスロットオフセットが、ＰＤＣＣＨ１および／またはＰＤＳＣＨ１が受信されるスロットから第２のスロット６１２までのスロットオフセットを提供する（例えば、ＰＤＣＣＨ１および／またはＰＤＳＣＨ１が受信されるスロットが、期間６０２を含むスロットに対応してもよい）。別の例では、第１の複数のスロットオフセットのうちのスロットオフセットが、ＰＤＣＣＨ２および／またはＰＤＳＣＨ２が受信されるスロットから第２のスロット６１２までのスロットオフセットを提供する（例えば、ＰＤＣＣＨ２および／またはＰＤＳＣＨ２が受信されるスロットが、期間６０４を含むスロットに対応してもよい）。
【００６０】
いくつかの実施形態では、第１のデバイスが、第２の複数のスロットオフセット（例えば、ｋ３）で設定される。いくつかの実施形態では、第２の複数のスロットオフセットのうちのスロットオフセットが、ＳＬグラント受信のためのスロットから、受信／導出／決定されたＳＬ  ＨＡＲＱ−ＡＣＫをネットワークに送信するためのスロットまでのスロットオフセットを提供する。いくつかの実施形態では、ＳＬグラント受信が、第１のデバイスによるサイドリンク送信のための１つ以上のサイドリンクリソースを付与する、第１のデバイスによるＳＬグラントの受信に対応し得る。第１のデバイスが、１つ以上のサイドリンクリソースを使用してサイドリンク送信を行ってもよい。いくつかの実施形態では、受信／導出／決定されたＳＬ  ＨＡＲＱ−ＡＣＫが、サイドリンク送信に関連付けられてもよい。いくつかの実施形態では、サイドリンク信号１および／またはサイドリンク信号２が、サイドリンク送信に関連付けられた受信ＳＬ  ＨＡＲＱ−ＡＣＫフィードバックを含み得る。いくつかの実施形態では、第１のデバイスが、第１のスロット６１０において、受信したＳＬ  ＨＡＲＱ−ＡＣＫフィードバックを送信してもよい。いくつかの実施形態では、第１のデバイスが、第１のスロットにおいて、１つ以上のＳＬ  ＨＡＲＱ−ＡＣＫを送信してもよく、１つ以上のＳＬ  ＨＡＲＱ−ＡＣＫが、受信したＳＬ  ＨＡＲＱ−ＡＣＫフィードバックに基づいて導出／決定される。一例では、第２の複数のスロットオフセットのうちのスロットオフセットが、ＳＬグラントが受信されたスロットから第１のスロット６１０までのスロットオフセットを提供する。いくつかの実施形態では、ネットワークが、ＳＬグラントにおいて１つのスロットオフセットを示すことができる。いくつかの実施形態では、単一サービスセルに対して、第１のデバイスが、第２の複数のスロットオフセットのうちの（唯一）１つのスロットオフセットで設定され得る。
【００６１】
代替的および／または追加的に、第２の複数のスロットオフセットのうちのスロットオフセットが、ＳＬグラントに基づいたサイドリンク送信のためのスロットから、受信／導出／決定されたＳＬ  ＨＡＲＱ−ＡＣＫをネットワークに送信するためのスロットまでのスロットオフセットを提供する。一例では、第２の複数のスロットオフセットのうちのスロットオフセットが、サイドリンク送信が実行されるスロットから、第１のスロット６１０のように、受信／導出／決定されたＳＬ  ＨＡＲＱ−ＡＣＫを送信するためのスロットまでのスロットオフセットを提供する。
【００６２】
代替的および／または追加的に、第２の複数のスロットオフセットのうちのスロットオフセットが、サイドリンク送信に対応するＳＬ  ＨＡＲＱ−ＡＣＫフィードバック受信のためのスロットから、受信／導出／決定したＳＬ  ＨＡＲＱ−ＡＣＫをネットワークに送信するためのスロットまでのスロットオフセットを提供する。一例では、第２の複数のスロットオフセットのうちのスロットオフセットが、受信されたＳＬ  ＨＡＲＱ−ＡＣＫフィードバックが受信されたスロットから、第１のスロット６１０のような、受信／導出／決定したＳＬ  ＨＡＲＱ−ＡＣＫを送信するためのスロットまでのスロットオフセットを受信する。代替的および／または追加的に、ネットワークは、同じスロットにおいて送信される異なるおよび／または混合タイプのＨＡＲＱ−ＡＣＫ（例えば、同じスロットにおける、ＳＬ  ＨＡＲＱ−ＡＣＫおよび／またはＵｕインターフェースに関連付けられたＨＡＲＱ−ＡＣＫ）を設定および／またはスケジューリングすることは許可されず、および／または、設定されない。例えば、ネットワークが、異なるおよび／または混合タイプのＨＡＲＱ−ＡＣＫを、同じスロットにおいて送信するように設定および／またはスケジューリングしなくてもよい。
【００６３】
実施形態２
【００６４】
第１のデバイスが、第１のスロットにおいて、ネットワークからＳＬグラント（例えば、サイドリンク送信をスケジューリングするＤＣＩ）を受信する。第１のデバイスが、第２のスロットにおいて、ＳＬグラントに基づいて、第２のデバイスへのサイドリンク送信を行う。
【００６５】
いくつかの実施形態では、第１のデバイスが、第３のスロットにおいて、第２のデバイスから、サイドリンク送信に対応するＳＬ  ＨＡＲＱ−ＡＣＫフィードバックを受信する。いくつかの実施形態では、第３のスロットが、第２のスロットとは異なることがある。代替的および／または追加的に、第３のスロットは第２のスロットと同じであってもよい。
【００６６】
いくつかの実施形態では、第１のデバイスが、第４のスロットにおいてネットワークにサイドリンク再送信の要件を示すための指示を送信するように、指示され、設定され、および／または命令される。この指示が、サイドリンク再送信の要件および／または必要性を示してもよい。例えば、この指示は、第１のデバイスがサイドリンク再送信を行う必要があることを示してもよい。いくつかの実施形態では、指示はＳＬ  ＨＡＲＱ−ＡＣＫフィードバックである（例えば、インジケータは、第２のデバイスから受信したＳＬ  ＨＡＲＱ−ＡＣＫフィードバックを含む）。いくつかの実施形態では、指示はＳＬ  ＨＡＲＱ−ＡＣＫフィードバックに基づいて導出／決定される。いくつかの実施形態では、ＳＬ  ＨＡＲＱ−ＡＣＫフィードバックがＡＣＫである場合、指示はＡＣＫである。いくつかの実施形態では、ＳＬ  ＨＡＲＱ−ＡＣＫフィードバックがＮＡＣＫまたはＤｉｓｃｏｎｔｉｎｏｕｓ  Ｔｒａｎｓｍｉｓｓｉｏｎ（ＤＴＸ、間欠送信）である場合、指示はＮＡＣＫである。いくつかの実施形態では、ＳＬ  ＨＡＲＱ−ＡＣＫフィードバックがＮＡＣＫまたはＤＴＸである場合、指示はＤＴＸである。いくつかの実施形態では、第１のデバイスが、指示を送信するためのタイミング（例えば、第４のスロット）で設定される。代替的および／または追加的に、タイミングが、第１のデバイスに指示される。いくつかの実施形態では、タイミングが、ＳＬグラントを介して指示され、および／または設定される。例えば、ＳＬグラントはタイミングを示す。
【００６７】
いくつかの実施形態では、第４のスロットについて、第１のデバイスが、１つ以上の候補ＰＤＳＣＨ受信（および／または、ＳＰＳ解放を示すＰＤＣＣＨの１つ以上の受信）に対して１つ以上のＨＡＲＱ−ＡＣＫを送信するようにネットワークによって命令、指示、および／または要求される。
【００６８】
いくつかの実施形態では、第１のデバイスが、第４のスロットにおいて、第１のリソース上で指示（例えば、ＳＬ  ＨＡＲＱ−ＡＣＫ）および／または１つ以上のＨＡＲＱ−ＡＣＫを送信する。
【００６９】
いくつかの実施形態では、第１のデバイスが、第１の機会セット（例えば、１つ以上の機会の第１のセット）および第２の機会セット（例えば、１つ以上の機会の第２のセット）に基づいて、ＨＡＲＱ−ＡＣＫビット数を決定する。いくつかの実施形態では、第１の機会セットが、１つ以上の候補ＰＤＳＣＨ受信（および／またはＳＰＳ解放を示すＰＤＣＣＨの１つ以上の受信）に対する第１のＨＡＲＱ−ＡＣＫビット数を決定するために使用される。いくつかの実施形態では、第２の機会セットが、指示のための第２のＨＡＲＱ−ＡＣＫビット数を決定するために使用される。いくつかの実施形態では、第２の機会セットが、ＳＬ  ＨＡＲＱ−ＡＣＫのための第２のＨＡＲＱ−ＡＣＫビット数を決定するために使用される（例えば、第２のＨＡＲＱ−ＡＣＫビット数が、ＳＬ  ＨＡＲＱ−ＡＣＫビット数に対応してもよい）。
【００７０】
いくつかの実施形態では、第４のスロットが、スロット＃ｎである。
【００７１】
いくつかの実施形態では、第１のデバイスが、第１の複数のスロットオフセット（例えば、ｋ１）で設定される。いくつかの実施形態では、第１の複数のスロットオフセットのうちのスロットオフセットが、ＰＤＳＣＨ受信（および／またはＳＰＳ解放を示すＰＤＣＣＨの受信）のためのスロットからＨＡＲＱ−ＡＣＫ送信のためのスロットへのスロットオフセットを提供する。いくつかの実施形態では、ネットワークが、ＤＣＩ（ＤＣＩフォーマット０＿１および／またはＤＣＩフォーマット１＿１）によってスロットオフセットを指示することができる。
【００７２】
いくつかの実施形態では、第１のデバイスが、第２の複数のスロットオフセット（例えば、ｋ３）で設定される。いくつかの実施形態では、第２の複数のスロットオフセットのうちのスロットオフセットが、ＳＬグラント受信のためのスロットから、受信／導出／決定されたＳＬ  ＨＡＲＱ−ＡＣＫをネットワークに送信するためのスロットまでのスロットオフセットを提供する。いくつかの実施形態では、ネットワークが、ＳＬグラントにおいて１つのスロットオフセットを指示することができる。いくつかの実施形態では、単一のサービスセルについて、第１のデバイスが、第２の複数のスロットオフセットのうちの（ただ）１つのスロットオフセットで設定され得る。
【００７３】
代替的および／または追加的に、第２の複数のスロットオフセットのうちのスロットオフセットが、ＳＬグラントに基づいたサイドリンク送信のためのスロットから受信／導出／決定されたＳＬ  ＨＡＲＱ−ＡＣＫをネットワークに送信するためのスロットまでのスロットオフセットを提供する。
【００７４】
代替的および／または追加的に、第２の複数のスロットオフセットのうちのスロットオフセットが、サイドリンク送信に対応するＳＬ  ＨＡＲＱ−ＡＣＫフィードバック受信のためのスロットから、受信／導出／決定されたＳＬ  ＨＡＲＱ−ＡＣＫをネットワークに送信するためのスロットまでのスロットオフセットを提供する。
【００７５】
いくつかの実施形態では、第１の機会セットが、候補ＰＤＳＣＨ受信（および／またはＳＰＳ解放を示すＰＤＣＣＨの受信）のために使用される。いくつかの実施形態では、第１の機会セットが、スロットに基づいて決定され、スロットが、第１の複数のスロットオフセットで第４のスロットを先行する。
【００７６】
いくつかの実施形態では、第２の機会セットが、候補ＳＬグラント受信（例えば、第１のスロット）のために使用される。いくつかの実施形態では、第２の機会セットが、候補サイドリンク送信（例えば、第２のスロット）のために使用される。いくつかの実施形態では、第２の機会セットが、候補ＳＬ  ＨＡＲＱ−ＡＣＫフィードバック受信（例えば、第３のスロット）のために使用される。
【００７７】
いくつかの実施形態では、第２の機会セットが、スロットに基づいて決定され、スロットが、第２の複数のスロットオフセットで第４のスロットを先行する。
【００７８】
いくつかの実施形態では、第１のデバイスが、ある数のリソースセットまでを有する複数のリソースセットで設定されることができ、リソースセットが、１つ以上のＨＡＲＱ−ＡＣＫを送信するための少なくとも１つのリソースを含む。
【００７９】
いくつかの実施形態では、その数は４である。
【００８０】
いくつかの実施形態では、第１のデバイスが、ＨＡＲＱ−ＡＣＫビット数および／または第１のＨＡＲＱ−ＡＣＫビット数に基づいて、複数のリソースセットのうちのリソースセットを決定する。
【００８１】
いくつかの実施形態では、第１のデバイスが、第４のスロット（例えば、スロット＃ｎ）において、ＨＡＲＱ−ＡＣＫフィードバックを示すＤＣＩを受信する（例えば、ＤＣＩが、第４のスロットにおけるＨＡＲＱ−ＡＣＫフィードバックの送信を示してもよい）。
【００８２】
いくつかの実施形態では、第１のデバイスが、第４のスロット（例えば、スロット＃ｎ）におけるＨＡＲＱ−ＡＣＫフィードバックを示し、時間領域における最後の（受信された）ＤＣＩであるＤＣＩ（例えば、直近に受信されたＤＣＩ）を受信する（例えば、ＤＣＩが、第４のスロットにおけるＨＡＲＱ−ＡＣＫの送信を示す）。
【００８３】
いくつかの実施形態では、ＤＣＩが、リソースインデックスを生成するためのリソースオフセット（例えば、ＰＲＯ）を示す。
【００８４】
いくつかの実施形態では、第１のデバイスが、リソースインデックスおよびＨＡＲＱ−ＡＣＫビット数および／または第１のＨＡＲＱ−ＡＣＫビット数に基づいて第１のリソースを決定する。
【００８５】
いくつかの実施形態では、第１のデバイスが、第４のスロットおけるネットワークへの（Ｕｕインターフェースに関連付けられた）１つ以上のＨＡＲＱ−ＡＣＫの送信を示し、時間領域において最後に受信されたＤＣＩである第１のＤＣＩ（例えば、第１のＤＣＩは直近に受信されたＤＣＩ）を受信する。いくつかの実施形態では、第１のＤＣＩはＰＤＳＣＨをスケジューリングする。
【００８６】
いくつかの実施形態では、第１のＤＣＩが、第１のリソースインデックスを生成するための第１のリソースオフセット（例えば、ＰＲＯ）を示す。
【００８７】
いくつかの実施形態では、第１のデバイスが、第１のリソースインデックスおよびＨＡＲＱ−ＡＣＫビット数および／または第１のＨＡＲＱ−ＡＣＫビット数に基づいて第１のリソースを決定する。
【００８８】
いくつかの実施形態では、第１のデバイスが、第４のスロットにおけるネットワークへの１つ以上のＳＬ  ＨＡＲＱ−ＡＣＫの送信を示す、時間領域において最後に受信したＳＬグラントである第２のＤＣＩ（例えば、第２のＤＣＩが、直筋に受信されたＳＬグラントである）を受信する。いくつかの実施形態では、第２のＤＣＩが、１つ以上のサイドリンクリソースをスケジューリングする。
【００８９】
いくつかの実施形態では、第２のＤＣＩが、第２のリソースインデックスを生成するための第２のリソースオフセット（例えば、ＰＲＯ）を示す。
【００９０】
いくつかの実施形態では、第１のデバイスが、第２のリソースインデックスおよび第２のＨＡＲＱ−ＡＣＫビット数などのあるＳＬ  ＨＡＲＱ−ＡＣＫビット数に基づいて第１のリソースを決定する。
【００９１】
いくつかの実施形態では、ネットワークスケジューリングモード（例えば、ＮＲ  Ｖ２Ｘ／ＳＬモード１）におけるユニキャストサイドリンク送信の場合、ＳＬグラントを受信するタイミング（例えば、第１のスロット）とＳＬ  ＨＡＲＱ−ＡＣＫを送信するためのタイミング（例えば、第４のスロット）が、１対１のマッピングである（例えば、ＳＬグラントを受信するためのタイミングおよびＳＬ  ＨＡＲＱ−ＡＣＫを送信するためのタイミングが、１対１のマッピングにおいて互いに関連している）。代替的および／または追加的に、ＳＬグラントに基づいてサイドリンク送信を行うタイミング（例えば、第２のスロットに対応するタイミング）とＳＬ  ＨＡＲＱ−ＡＣＫを送信するためのタイミング（例えば、第４のスロット）が、１対１のマッピングである。代替的および／または追加的に、サイドリンク送信に対応するＳＬ  ＨＡＲＱ−ＡＣＫフィードバック受信のためのタイミング（例えば、第３スロット）と、ＳＬ  ＨＡＲＱ−ＡＣＫを送信するためのタイミング（例えば、第４スロット）が、１対１のマッピングである。いくつかの実施形態では、第１のデバイスが、第４のスロットにおいて、ＳＬ  ＨＡＲＱ−ＡＣＫのフィードバックを示す別のＳＬグラントを受信することを期待しない。いくつかの実施形態では、第１のデバイスが単一セルで設定される場合、第２の機会セットの濃度が１であってもよい。
【００９２】
いくつかの実施形態では、カウンタＤＡＩが、スロット＃ｎ−ｋ１の１つ以上のスロットにおける下りリンク割り当て（および／またはＳＰＳ解放）およびスロット＃ｎ−ｋ３の１つ以上のスロットにおけるＳＬグラントのために指示される。
【００９３】
いくつかの実施形態では、ＤＣＩ（例えば、下りリンク割り当て）が、カウンタＤＡＩを示す。
【００９４】
いくつかの実施形態では、カウンタＤＡＩが、受信時間の昇順に基づいて累積的である。
【００９５】
いくつかの実施形態では、カウンタＤＡＩが、スロット＃ｎ−ｋ１の１つ以上のスロットにおける下りリンク割り当ておよびスロット＃ｎ−ｋ３の１つ以上のスロットにおけるＳＬグラントの累積数を示す。
【００９６】
図７が、実施形態２など、本開示の１つ以上の実施形態による例示的なシナリオを示す。いくつかの実施形態では、期間７０２において、ＳＬグラント１が第１のデバイスによって受信される。いくつかの実施形態では、第１のデバイスが、ＳＬグラント１に基づいて第１のサイドリンク送信を行う（例えば、ＳＬグラント１が、第１のサイドリンク送信をスケジューリングしてもよい）。いくつかの実施形態では、期間７０４において、ＳＬグラント２が第１のデバイスによって受信される。いくつかの実施形態では、第１のデバイスが、ＳＬグラント２に基づいて第２のサイドリンク送信を行う（例えば、ＳＬグラント２が、第２のサイドリンク送信をスケジューリングしてもよい）。いくつかの実施形態では、期間７１０において、第１のデバイスが、第１のサイドリンク送信に関連付けられたＳＬ  ＨＡＲＱ−ＡＣＫフィードバック１を受信する。いくつかの実施形態では、期間７１２において、第１のデバイスが、第２のサイドリンク送信に関連付けられたＳＬ  ＨＡＲＱ−ＡＣＫフィードバック２を受信する。いくつかの実施形態では、期間７０６において、ＰＤＣＣＨ１および／またはＰＤＳＣＨ１が第１のデバイスによって受信される。いくつかの実施形態では、期間７０８において、ＰＤＣＣＨ２および／またはＰＤＳＣＨ２が第１のデバイスによって受信される。いくつかの実施形態では、スロット＃ｎのような第１のスロット７１４において、第１のデバイスが、Ｕｕインターフェースに関連付けられた１つ以上のＨＡＲＱ−ＡＣＫを送信し、および／または送信するように要求され、および／または設定されてもよい。いくつかの実施形態では、第１のスロット７１４において、第１のデバイスが、ＳＬ  ＨＡＲＱ−ＡＣＫフィードバック１および／またはＳＬ  ＨＡＲＱ−ＡＣＫフィードバック２などの１つ以上のＳＬ  ＨＡＲＱ−ＡＣＫ、またはＳＬ  ＨＡＲＱフィードバック１に基づいて導出／決定されたＳＬ  ＨＡＲＱ−ＡＣＫフィードバック１および／またはＳＬ  ＨＡＲＱフィードバック２に基づいて導出／決定されたＳＬ  ＨＡＲＱ−ＡＣＫ２を送信し、および／または送信するように要求され、および／または設定されてもよい。
【００９７】
いくつかの実施形態では、第１のデバイスが、第１の複数のスロットオフセットに対応するｋ１＝｛１，２，３，４，５，６，７，８｝で設定される。ｋ１のスロットオフセットは、候補ＰＤＳＣＨ受信（および／または、ＳＰＳ解放を示すＰＤＣＣＨの受信）のためのスロットと、ＨＡＲＱ−ＡＣＫ送信のためのスロットとの間である。一例では、ｋ１のスロットオフセットが、（ＰＤＣＣＨ１および／またはＰＤＳＣＨ１を受信することに関連付けられた）期間７０６を含むスロットと、第１のスロット７１４との間である。第１のデバイスが、タイプ１ＨＡＲＱ−ＡＣＫコードブックで設定さる。第１のデバイスが、サイドリンクネットワークスケジューリングモード（例えば、ＮＲ  Ｖ２Ｘ／ＳＬモード１）で設定される。いくつかの実施形態では、第１のデバイスが、第２の複数のスロットオフセットに対応するｋ３＝｛１２，１３，１４，１５｝で設定され得る。ｋ３のスロットオフセットは、候補ＳＬグラント受信スロットと、受信したＳＬ  ＨＡＲＱ−ＡＣＫ（ＳＬ  ＨＡＲＱ−ＡＣＫ１および／またはＳＬ  ＨＡＲＱ−ＡＣＫ２など）を送信するためのスロットとの間である。一例では、ｋ３のスロットオフセットは、ＳＬグラント１の受信することに関連付けられた期間７０２を含むスロットと、ＳＬ  ＨＡＲＱ−ＡＣＫ１を送信するための第１のスロット７１４との間である。代替的および／または追加的に、ｋ３＝｛４，５，６，７｝であって、ｋ３のスロットオフセットは、ＳＬ  ＨＡＲＱ−ＡＣＫフィードバックを受信するためのスロットと、受信／導出／決定されたＳＬ  ＨＡＲＱ−ＡＣＫを送信するためのスロットとの間である。一例では、ｋ３のスロットオフセットは、ＳＬ  ＨＡＲＱ−ＡＣＫフィードバック１を受信することに関連付けられた期間７１０を含むスロットと、ＳＬ  ＨＡＲＱ−ＡＣＫフィードバック１に基づいて導出／決定されたＳＬ  ＨＡＲＱ−ＡＣＫ１を送信するための第１のスロット７１４との間である。
【００９８】
いくつかの実施形態では、デバイスが単一セルで設定される。いくつかの実施形態では、各スロット＃ｎ−ｋ１（例えば、スロット＃ｎ−１、スロット＃ｎ−２、スロット＃ｎ−３、．．．、スロット＃ｎ−８、ｋ１＝｛１，２，３，４，５，６，７，８｝）が、ＰＤＳＣＨ受信（および／またはＳＰＳ解放を示すＰＤＣＣＨ）のための候補となる機会を有する。いくつかの実施形態では、各スロット＃ｎ−ｋ３（例えば、スロット＃ｎ−１２、スロット＃ｎ−１３、スロット＃ｎ−１４、スロット＃ｎ−１５、ｋ３＝｛１２，１３，１４，１５｝）が、ＳＬグラントを受信するための候補となる機会を有する。代替的および／または追加的に、各スロット＃ｎ−ｋ３（例えば、スロット＃ｎ−４、スロット＃ｎ−５、スロット＃ｎ−６、スロット＃ｎ−７、ｋ３＝｛４，５，６，７｝）が、ＳＬ  ＨＡＲＱ−ＡＣＫフィードバックを受信するための候補となる機会を有する。一例では、第１のデバイスが、第１のスロット７１４において、ＰＵＣＣＨリソース上で１２ビットを送信し、４ビットがサイドリンクに関連付けられ（例えば、４ビットが、ＳＬ  ＨＡＲＱ−ＡＣＫ１および／またはＳＬ  ＨＡＲＱ−ＡＣＫ２などの１つ以上のＳＬ  ＨＡＲＱ−ＡＣＫを含む）、８ビットが、Ｕｕインターフェースに関連付けられる（例えば、８ビットが、Ｕｕインターフェースに関連付けられた１つ以上のＨＡＲＱ−ＡＣＫを含む）。いくつかの実施形態では、ＰＵＣＣＨリソースが、スロット＃ｎ−ｋ１（例えば、スロット＃ｎ−ｋ１が、スロット＃ｎ−１、スロット＃ｎ−２、スロット＃ｎ−３、．．．．、スロット＃ｎ−８に対応してもよい）および／またはスロット＃ｎ−ｋ３（例えば、スロット＃ｎ−ｋ３が、スロット＃ｎ−１２、スロット＃ｎ−１３、スロット＃ｎ−１４、スロット＃ｎ−１５（ｋ３＝１２，１３，１４，１５）に対応してもよい）内で受信された最後のＤＣＩ（例えば、直近に受信されたＤＣＩ）に基づいて決定される。一例では、ＰＤＣＣＨ２は最後に受信したＤＣＩである。ＰＤＣＣＨ２が、Ｕｕインターフェースに関連付けられた１つ以上のＨＡＲＱ−ＡＣＫおよび／または１つ以上のＳＬ  ＨＡＲＱ−ＡＣＫのような、フィードバックの送信のための第１のスロット７１４（例えば、スロット＃ｎ）を示してもよい。いくつかの実施形態では、ＰＵＣＣＨリソースが、最後に受信したＤＣＩに基づいて決定される。最後に受信されたＤＣＩが、１つ以上のＨＡＲＱ−ＡＣＫおよび／または１つ以上のＳＬ  ＨＡＲＱ−ＡＣＫのようなフィードバックの送信のための第１のスロット７１４（例えば、スロット＃ｎ）を示してもよい。いくつかの実施形態では、ＤＣＩが、サイドリンク送信のために１つ以上のサイドリンクリソースをスケジューリングするＳＬグラント、および／または下りリンク受信のために１つ以上の下りリンクリソースをスケジューリングする下りリンク割り当てとすることができる。
【００９９】
ＳＬ  ＨＡＲＱ−ＡＣＫ１がＡＣＫ、ＳＬ  ＨＡＲＱ−ＡＣＫ２がＡＣＫ、ＰＤＳＣＨ１（および／またはＳＰＳ解放を示すＰＤＣＣＨ１）に対するＨＡＲＱ−ＡＣＫがＡＣＫ、ＰＤＳＣＨ２（および／またはＳＰＳ解放を示すＰＤＣＣＨ２）に対するＨＡＲＱ−ＡＣＫがＡＣＫの場合、１２ビットは、Ｕｕインターフェースフィードバックのための｛１，１，０，０，０，０，０，０｝とサイドリンクフィードバックのための｛０，１，０，１｝を含む。
【０１００】
いくつかの実施形態では、カウンタＤＡＩが、スロット＃ｎ−ｋ１における下りリンク割り当ておよびスロット＃ｎ−ｋ３におけるＳＬグラントに対して示される。いくつかの実施形態では、図７において、ＳＬグラント１によって示されるカウンタＤＡＩが｛１｝であってもよく、ＳＬグラント２によって示されるカウンタＤＡＩが｛２｝であってもよく、ＰＤＣＣＨ１によって示されるカウンタＤＡＩが｛３｝であってもよく、ＰＤＣＣＨ２によって示されるカウンタＤＡＩが｛４｝であってもよい。
【０１０１】
いくつかの実施形態では、別の例では、０に等しいカウンタＤＡＩを備えた１つのＤＣＩ（例えば、ＳＬグラントおよび／または下りリンク割り当て）のみが、スロット＃ｎ−ｋ１および／またはスロット＃ｎ−ｋ３において受信された場合、第１のデバイスは、１ビットＨＡＲＱ−ＡＣＫを送信してもよい（例えば、第１のデバイスが、１２ビットが固定および／または設定されているにもかかわらず、１ビットＨＡＲＱ−ＡＣＫのみを送信してもよい）。いくつかの実施形態では、第１のデバイスが｛２｝に等しいカウンタＤＡＩ値を備えたＰＤＣＣＨ２を受信（例えば、受信のみ）する場合、第１のデバイスが、単に１ビットＨＡＲＱ−ＡＣＫを送信しない（例えば、第１のデバイスが、１ビットよりも大きい１つ以上のＨＡＲＱ−ＡＣＫを送信してもよい）。いくつかの実施形態では、第１のデバイスが、｛２｝に等しいカウンタＤＡＩ値を有するＰＤＣＣＨ２を受信（例えば、受信のみ）する場合、第１のデバイスが、単に１ビットでＨＡＲＱ−ＡＣＫを送信しない（例えば、第１のデバイスが、複数ビットで１つ以上のＨＡＲＱ−ＡＣＫを送信してもよい）。いくつかの実施形態では、第１のデバイスが、スロット＃ｎにおいて、１２ビットで１つ以上のＨＡＲＱ−ＡＣＫを送信する。
【０１０２】
図８は、タイプ１ＨＡＲＱ−ＡＣＫコードブックについて、単一セルに対するＵＣＩペイロードサイズ（例えば、ＨＡＲＱ−ＡＣＫビット数）を含む表８００を示す。
【０１０３】
いくつかの実施形態では、第１のデバイスが、８つの異なるｋ１値および４つの異なるｋ３値で設定されてもよい。例えば、ｋ１（例えば、第１の複数のスロットオフセット）が、８つのスロットオフセット（例えば、８個のｋ１値）を含んでもよく、および／またはｋ３（例えば、第２の複数のスロットオフセット）が、４つのスロットオフセット（例えば、４個のｋ３値）を含んでもよい。代替的および／または追加的に、ｋ１が、８とは異なる個数のｋ１値を含んでもよく、および／またはｋ３が、４とは異なる個数のｋ３値を含んでもよい。
【０１０４】
いくつかの実施形態では、スロット＃ｎ−ｋ１のうちのスロット（および／またはスロット＃ｎ−ｋ１の各スロット）が、１つの機会を生成および／またはこれに対応する。
【０１０５】
いくつかの実施形態では、８個のｋ１値（例えば、８個のスロットオフセット）を含むｋ１が、ＨＡＲＱ−ＡＣＫフィードバックのための８つの機会に対応し、および／またはこれを参照してもよい。例えば、スロット＃ｎ−ｋ１が、ＨＡＲＱ−ＡＣＫフィードバックのために８つの機会を生成および／またはこれに対応してもよい。
【０１０６】
いくつかの実施形態では、スロット＃ｎ−ｋ３のうちのスロット（および／またはスロット＃ｎ−ｋ３の各スロット）が、１つの機会を生成および／またはこれに対応する。
【０１０７】
いくつかの実施形態では、４個のｋ３値（例えば、４個のスロットオフセット）を含むｋ３が、受信／導出／決定されたＳＬ  ＨＡＲＱ−ＡＣＫフィードバックを送信するために４つの機会に対応し、および／またはこれを参照してもよい。例えば、スロット＃ｎ−ｋ３が、受信／導出／決定されたＳＬ  ＨＡＲＱ−ＡＣＫフィードバックを送信するために、４つの機会を生成および／またはこれに対応してもよい。
【０１０８】
いくつかの実施形態では、表８００において、左側の列の｛０｝が、スロット＃ｎに対するＨＡＲＱ−ＡＣＫを示すＳＬグラント受信なしを示す（例えば、スロット＃ｎにおけるＨＡＲＱ−ＡＣＫ送信を示すＳＬグラント受信が第１のデバイスによって受信されない）。
【０１０９】
いくつかの実施形態では、表８００において、一番上の行の｛０｝が、スロット＃ｎに対するＨＡＲＱ−ＡＣＫを示す下りリンク割り当てがないことを示す（例えば、スロット＃ｎにおけるＨＡＲＱ−ＡＣＫ送信を示す下りリンク割り当てが第１のデバイスによって受信されない）。
【０１１０】
いくつかの実施形態では、表８００において、（一番上の行または左側の列の）｛１｝が、スロット＃ｎに対するＨＡＲＱ−ＡＣＫを示す（カウンタＤＡＩ値｛１｝を備えた）１つの下りリンク割り当てのみを示すか、またはスロット＃ｎに対するＨＡＲＱ−ＡＣＫを示す（カウンタＤＡＩ値｛１｝を備えた）１つのＳＬグラント受信のみを示す。
【０１１１】
いくつかの実施形態では、表８００において、左側の列の｛１｝が、スロット＃ｎに対するＨＡＲＱ−ＡＣＫを示す（カウンタＤＡＩ値｛１｝を備えた）１つのＳＬグラント受信を示す（例えば、スロット＃ｎにおけるＨＡＲＱ−ＡＣＫ送信を示す（カウンタＤＡＩ値｛１｝を備えた）１つのＳＬグラントのみが、第１のデバイスによって受信される）。
【０１１２】
いくつかの実施形態では、表８００において、一番上の行の｛１｝が、スロット＃ｎに対するＨＡＲＱ−ＡＣＫを示す（カウンタＤＡＩ値｛１｝を備えた）１つの下りリンク割り当てを示す（例えば、スロット＃ｎにおけるＨＡＲＱ−ＡＣＫ送信を示す（カウンタＤＡＩ値｛１｝を備えた）１つの下りリンク割り当てのみが、第１のデバイスによって受信される）。
【０１１３】
いくつかの実施形態では、表８００において、一番上の行の（１，Ｘ］は、第１のデバイスが、スロット＃ｎにおけるＨＡＲＱ−ＡＣＫ送信を示す１より多く最大Ｘ個の下りリンク割り当てを受信するか、または第１のデバイスが、スロット＃ｎにおけるＨＡＲＱ−ＡＣＫ送信を示す（｛１｝以外のカウンタＤＡＩ値を備えた）１つの下りリンク割り当てのみを受信することを示す。
【０１１４】
いくつかの実施形態では、表８００において、左側の列の（１，Ｙ］は、第１のデバイスが、スロット＃ｎにおけるＨＡＲＱ−ＡＣＫ送信を示す１つより多く最大Ｙ個のＳＬグラントを受信するか、または第１のデバイスが、スロット＃ｎにおけるＨＡＲＱ−ＡＣＫ送信を示す（｛１｝以外のカウンタＤＡＩ値を含む）１つのＳＬグラントのみを受信することを示す。
【０１１５】
図７の例示的なシナリオでは、単一セルに対して、Ｘが８であってもよく、Ｙが４であってもよい。
【０１１６】
いくつかの実施形態では、表８００が、第１のデバイスがキャリアアグリゲーションで設定され、第１のデバイスが、設定されたおよび／またはアクティブ化されたキャリアおよび／またはセルに対するＨＡＲＱ−ＡＣＫコードブックを生成するシナリオに拡張されてもよい。
【０１１７】
いくつかの実施形態では、キャリアアグリゲーションの場合、Ｘが、セルの数（例えば、設定されたおよび／またはアクティブ化されたセルの数）を８に乗じたものとなる。例えば、Ｘが、第１のデバイスがキャリアアグリゲーションで設定されるシナリオにおけるセルの数を８に乗じたものに等しくてもよい。
【０１１８】
いくつかの実施形態では、キャリアアグリゲーションの場合、Ｙが、セルの数（例えば、設定されたおよび／またはアクティブ化されたセルの数）を４に乗じたものとなる。例えば、Ｙが、第１のデバイスがキャリアアグリゲーションで設定されるシナリオにおけるセルの数を４に乗じたものに等しくてもよい。
【０１１９】
いくつかの実施形態では、第１のデバイスが、スロット＃ｎにおけるＨＡＲＱ−ＡＣＫ送信を示す、カウンタＤＡＩ値｛１｝を備えた１つのＤＣＩ（例えば、ＳＬグラントまたは下りリンク割り当て）のみを受信した場合、第１のデバイスは、１に等しいＨＡＲＱ−ＡＣＫペイロードサイズを生成および／または決定する。
【０１２０】
いくつかの実施形態では、第１のデバイスが、スロット＃ｎにおけるＨＡＲＱ−ＡＣＫ送信を示す｛１｝以外のカウンタＤＡＩ値を有するＳＬグラントを受信した場合、第１のデバイスが、１２に等しいＨＡＲＱ−ＡＣＫペイロードサイズを生成および／または決定する。
【０１２１】
代替的および／または追加的に、スロット＃ｎにおけるＨＡＲＱ−ＡＣＫ送信を示す（カウンタＤＡＩ値｛１｝を備えた）１つのＳＬグラントが、第１のデバイスによって受信されるか、および／または、スロット＃ｎにおけるＨＡＲＱ−ＡＣＫ送信を示す（カウンタＤＡＩ値｛１｝を備えた）１つの下りリンク割り当てが、第１のデバイスによって受信されるシナリオにおいて、第１のデバイスが、ＨＡＲＱ−ＡＣＫフィードバックのために２ビットを生成する。
【０１２２】
図９は、第１のデバイスが複数のセル（例えば、ある数のセル）で設定されるいくつかの実施形態による第１の例示的なＵＣＩペイロード９００を示す。いくつかの実施形態では、第１の例示的なＵＣＩペイロード９００が、ある数のＰＵＣＣＨリソースに関連付けられる。
【０１２３】
図１０は、第１のデバイスが複数のセル（例えば、ある数のセル）で設定されるいくつかの実施形態による第２の例示的なＵＣＩペイロード１０００を示す。いくつかの実施形態では、第２の例示的なＵＣＩペイロード１０００が、ある数のＰＵＣＣＨリソースに関連付けられる。
【０１２４】
いくつかの実施形態では、第１のデバイスが、セルでの１つ以上のＨＡＲＱ−ＡＣＫおよび／または１つ以上のＳＬ  ＨＡＲＱ−ＡＣＫを含むＵＣＩを送信するように指示、命令および／または設定される。
【０１２５】
いくつかの実施形態では、セルが、プライマリセル（ＰＣｅｌｌ）および／またはプライマリセカンダリセル（ＰＳＣｅｌｌ）である。
【０１２６】
いくつかの実施形態では、図９〜図１０に関して、セル１に関連付けられた第１の機会セットが、Ｍ１個の機会を含む。代替的および／または追加的に、セル２に関連付けられた機会セットが、Ｍ２個の機会を含む。代替的および／または追加的に、セルｃに関連付けられた機会セットが、Ｍｃ個の機会を含む。
【０１２７】
いくつかの実施形態では、Ｍ１が、Ｍｘと同じであってもよく、ｘ＝２，３，．．．，ｃである。
【０１２８】
いくつかの実施形態では、図９〜図１０に関して、セル１に関連付けられた第２の機会セットが、Ｌ１個の機会を含む。代替的および／または追加的に、セル２に関連付けられた機会セットが、Ｌ２個の機会を含む。代替的および／または追加的に、セルｃに関連付けられた機会セットが、Ｌｃ個の機会を含む。
【０１２９】
いくつかの実施形態では、Ｌ１が、Ｌｘｔｏ同じであってもよく、ｘ＝２，３，．．．，ｃである。
【０１３０】
いくつかの実施形態では、第１のデバイスが、セルｘでサイドリンク送信を行うように構成され、ｘ＝１，．．．，ｃである。
【０１３１】
いくつかの実施形態では、第１のデバイスが、Ｕｕ  ＨＡＲＱ−ＡＣＫに関連付けられた数を生成し、その数が、Ｍ１，．．．，Ｍｃの合計のような組み合わせに等しい。Ｕｕ  ＨＡＲＱ−ＡＣＫが、（受信したＰＤＳＣＨと関連付けられたような）Ｕｕインターフェースと関連付けられたＨＡＲＱ−ＡＣＫに対応してもよい。いくつかの実施形態では、その数が、Ｕｕ  ＨＡＲＱ−ＡＣＫの数に対応する。例えば、第１のデバイスはＭ１＋Ｍ２＋．．．＋Ｍｃ個のＵｕ  ＨＡＲＱ−ＡＣＫを生成する。ｃ＝３の例では、第１のデバイスが、Ｍ１＋Ｍ２＋Ｍ３個のＵｕ  ＨＡＲＱ−ＡＣＫを生成する（例えば、第１のデバイスが、Ｍ１＋Ｍ２＋Ｍ３に等しい数のＵｕ  ＨＡＲＱ−ＡＣＫを生成する）。代替的および／または追加的に、その数が、Ｕｕ  ＨＡＲＱ−ＡＣＫビット数に対応する。いくつかの実施形態では、第１のデバイスが、Ｍ１＋Ｍ２＋．．．＋Ｍｃ個のＵｕ  ＨＡＲＱ−ＡＣＫビットを生成する。
【０１３２】
いくつかの実施形態では、第１のデバイスが、ＳＬ  ＨＡＲＱ−ＡＣＫに関連付けられた数を生成し、その数が、Ｌ１，．．．，Ｌｃの合計などの組み合わせに等しい。いくつかの実施形態では、その数が、ＳＬ  ＨＡＲＱ−ＡＣＫの数に対応する。例えば、第１のデバイスはＬ１＋Ｌ２＋．．．＋Ｌｃ個のＳＬ  ＨＡＲＱ−ＡＣＫを生成する。ｃ＝３の例では、Ｌ１＋Ｌ２＋Ｌ３個のＳＬ  ＨＡＲＱ−ＡＣＫを生成する（例えば、第１のデバイスが、Ｌ１＋Ｌ２＋Ｌ３に等しい数のＳＬ  ＨＡＲＱ−ＡＣＫを生成する）。代替的および／または追加的に、その数が、ＳＬ  ＨＡＲＱ−ＡＣＫビット数に対応する。いくつかの実施形態では、第１のデバイスが、Ｌ１＋Ｌ２＋．．．＋Ｌｃ個のＳＬ  ＨＡＲＱ−ＡＣＫビットを生成する。
【０１３３】
いくつかの実施形態では、１つ以上のＵｕ  ＨＡＲＱ−ＡＣＫビットおよび１つ以上のＳＬ  ＨＡＲＱ−ＡＣＫビットが、例えば、第１の例示的なＵＣＩペイロード９００に従って、図９に示されるように（ＵＣＩペイロードにおいて）順序付けられ、および／または配置される。例えば、１つ以上のＵｕ  ＨＡＲＱ−ＡＣＫを含む１つ以上のビット、および／または１つ以上のＳＬ  ＨＡＲＱ−ＡＣＫを含む１つ以上のビットが、図９に示されるように（ＵＣＩペイロードにおいて）順序付けられ、および／または配置される。
【０１３４】
いくつかの実施形態では、第１のデバイスが、１つ以上のＵｕ  ＨＡＲＱ−ＡＣＫと、それに続く１つ以上のＳＬ  ＨＡＲＱ−ＡＣＫとを有するＵＣＩペイロードを生成する。
【０１３５】
いくつかの実施形態では、１つ以上のＵｕ  ＨＡＲＱ−ＡＣＫについて、第１のデバイスが、セルインデックスの昇順に基づいて、セルｘに対する１つ以上のＭｘ個のＨＡＲＱ−ＡＣＫを順序付け、生成し、位置付け、および／または配置する。一例では、ＵＣＩペイロードが、（１つ以上のＭ１個のＨＡＲＱ−ＡＣＫに関連付けられた）セル１、（１つ以上のＭ２個のＨＡＲＱ−ＡＣＫに関連付けられた）セル２、（１つ以上のＭ３個のＨＡＲＱ−ＡＣＫに関連付けられた）セル３などのセルインデックスに基づいて、１つ以上のＭ１個のＨＡＲＱ−ＡＣＫと、それに続く１つ以上のＭ２個のＨＡＲＱ−ＡＣＫと、それに続く１つ以上のＭ３個のＨＡＲＱ−ＡＣＫなどを有してもよい。
【０１３６】
いくつかの実施形態では、１つ以上のＳＬ  ＨＡＲＱ−ＡＣＫに対して、第１のデバイスが、セルインデックスの昇順に基づいてセルｘに対する１つ以上のＬｘ  ＳＬ  ＨＡＲＱ−ＡＣＫを順序付け、生成し、位置付け、および／または配置する。一例において、ＵＣＩペイロードが、（１つ以上のＬ１個のＳＬ  ＨＡＲＱ−ＡＣＫに関連付けられた）セル１、（１つ以上のＬ２個のＳＬ  ＨＡＲＱ−ＡＣＫに関連付けられた）セル２、（１つ以上のＬ３  ＳＬ  ＨＡＲＱ−ＡＣＫに関連付けられた）セル３などのセルインデックスに基づいて、１つ以上のＬ１個のＳＬ  ＨＡＲＱ−ＡＣＫと、それに続く１つ以上のＬ２個のＳＬ  ＨＡＲＱ−ＡＣＫと、それに続く１つ以上のＬ３個のＳＬ  ＨＡＲＱ−ＡＣＫなどを有してもよい。
【０１３７】
いくつかの実施形態では、第１のデバイスが、Ｍ１，．．．，Ｍｃ，Ｌ１，．．．，Ｌｃの合計などの組み合わせに対応するビット数に少なくとも基づいてリソースを決定する。例えば、第１のデバイスは少なくともＭ１＋．．．＋Ｍｃ＋Ｌ１＋．．．＋Ｌｃビットに基づいてリソースを決定する。
【０１３８】
いくつかの実施形態では、Ｕｕ  ＨＡＲＱ−ＡＣＫビットおよびＳＬ  ＨＡＲＱ−ＡＣＫビットは、まず、Ｕｕ  ＨＡＲＱ−ＡＣＫビットおよびＳＬ  ＨＡＲＱ−ＡＣＫビットをＨＡＲＱ−ＡＣＫのタイプ（例えば、Ｕｕ  ＨＡＲＱ−ＡＣＫまたはＳＬ  ＨＡＲＱ−ＡＣＫ）に基づいて順序付けおよび／または配置し、次いで、Ｕｕ  ＨＡＲＱ−ＡＣＫビットおよびＳＬ  ＨＡＲＱ−ＡＣＫビットをセルインデックスに基づいて順序付けおよび／または配置し、次いで、Ｕｕ  ＨＡＲＱ−ＡＣＫビットおよびＳＬ  ＨＡＲＱ−ＡＣＫビットをスロットインデックスに基づいて順序付けおよび／または配置することによって、順序付け、生成し、位置付けおよび／または配置してもよい。例えば、第１に、ＳＬ  ＨＡＲＱ−ＡＣＫビットの前および／またはこれに先行して、Ｕｕ  ＨＡＲＱ−ＡＣＫビットを、順序付け、生成し、位置づけ、および／または配置する。第２に、Ｕｕ  ＨＡＲＱ−ＡＣＫビットを、セルインデックスの昇順（および／またはセルインデックスの降順）に基づいて、順序付け、生成し、位置付け、および／または配置し、および／またはＳＬ  ＨＡＲＱ−ＡＣＫビットを、セルインデックスの昇順（および／またはセルインデックスの降順）に基づいて順序付け、生成し、位置づけ、および／または配置する。第３に、セル（例えば、単一セル）に関連付けられた１つ以上のＵｕ  ＨＡＲＱ−ＡＣＫビットを、スロットインデックスの昇順（および／またはスロットインデックスの降順）に基づいて、順序付け、生成し、位置付け、および／または配置し、および／またはセル（例えば、単一セル）に関連付けられた１つ以上のＳＬ  ＨＡＲＱ−ＡＣＫビットを、スロットインデックスの昇順（および／またはスロットインデックスの降順）に基づいて順序付け、生成し、位置づけ、および／または配置する。ＵＣＩペイロードにおいて、Ｕｕ  ＨＡＲＱ−ＡＣＫビットおよびＳＬ  ＨＡＲＱ−ＡＣＫビットを順序付け、生成し、位置付け、および／または配置するためのステップの説明された順序が、単に例示的なものであり、異なるステップの順序を有する他の実施形態が企図されることが理解されよう。
【０１３９】
いくつかの実施形態では、１つ以上のＵｕ  ＨＡＲＱ−ＡＣＫビットおよび１つ以上のＳＬ  ＨＡＲＱ−ＡＣＫビットが、例えば、第２の例示的なＵＣＩペイロード１０００に従って、図１０に示されるように（ＵＣＩペイロードにおいて）順序付けられ、および／または配置される。例えば、１つ以上のＵｕ  ＨＡＲＱ−ＡＣＫを含む１つ以上のビット、および／または１つ以上のＳＬ  ＨＡＲＱ−ＡＣＫを含む１つ以上のビットが、図１０に示されるように（ＵＣＩペイロードにおいて）順序付けられ、および／または配置される。
【０１４０】
いくつかの実施形態では、第１のデバイスが、セルインデックスの昇順（および／またはセルインデックスの降順）に基づいてＵＣＩペイロードを生成する。
【０１４１】
いくつかの実施形態では、セルｘに対するＭｘ＋Ｌｘ個のＨＡＲＱ−ＡＣＫに対して、第１のデバイスが、ＵＣＩペイロードにおいて、Ｍｘ個のＨＡＲＱ−ＡＣＫと、それに続くＬｘ個のＳＬ  ＨＡＲＱ−ＡＣＫを順序付け、生成し、位置付け、および／または配置する。
【０１４２】
いくつかの実施形態では、第１のデバイスが、少なくともＭ１＋．．．＋Ｍｃ＋Ｌ１＋．．．＋Ｌｃビットに基づいてリソースを決定する。
【０１４３】
いくつかの実施形態では、Ｕｕ  ＨＡＲＱ−ＡＣＫビットおよびＳＬ  ＨＡＲＱ−ＡＣＫビットは、まず、Ｕｕ  ＨＡＲＱ−ＡＣＫビットおよびＳＬ  ＨＡＲＱ−ＡＣＫビットをセルインデックスに基づいて順序付けおよび／または配置し、次いで、Ｕｕ  ＨＡＲＱ−ＡＣＫビットおよびＳＬ  ＨＡＲＱ−ＡＣＫビットをＨＡＲＱ−ＡＣＫのタイプ（例えば、Ｕｕ  ＨＡＲＱ−ＡＣＫまたはＳＬ  ＨＡＲＱ−ＡＣＫ）に基づいて順序付けおよび／または配置し、次いで、Ｕｕ  ＨＡＲＱ−ＡＣＫビットおよびＳＬ  ＨＡＲＱ−ＡＣＫビットをスロットインデックスに基づいて順序付けおよび／または配置することによって、順序付け、生成し、位置付けおよび／または配置してもよい。例えば、第１に、Ｕｕ  ＨＡＲＱ−ＡＣＫビットおよび／またはＳＬ  ＨＡＲＱ−ＡＣＫビッを、セルインデックスの昇順（および／またはセルインデックスの降順）に基づいて順序付け、生成し、位置付け、および／または配置する。第２に、セルに（例えば、単一セル）関連付けられた１つ以上のＵｕ  ＨＡＲＱ−ＡＣＫビットおよび１つ以上のＳＬ  ＨＡＲＱ−ＡＣＫビットを、ＨＡＲＱ−ＡＣＫのタイプに基づいて、順序付け、生成し、位置付け、および／または配置する（例えば、１つ以上のＳＬ  ＨＡＲＱ−ＡＣＫビットの前および／またはこれに先行して、１つ以上のＵｕ  ＨＡＲＱ−ＡＣＫビットを、順序付け、生成し、位置付けおよび／または配置してもよい）。第３に、セル（例えば、単一セル）に関連付けられた１つ以上のＵｕ  ＨＡＲＱ−ＡＣＫビットを、スロットインデックスの昇順（および／またはスロットインデックスの降順）に基づいて、順序付け、生成し、位置付け、および／または配置し、および／またはセル（例えば、単一セル）に関連付けられた１つ以上のＳＬ  ＨＡＲＱ−ＡＣＫビットを、スロットインデックスの昇順（および／またはスロットインデックスの降順）に基づいて順序付け、生成し、位置付け、および／または配置する。ＵＣＩペイロードにおいて、Ｕｕ  ＨＡＲＱ−ＡＣＫビットおよびＳＬ  ＨＡＲＱ−ＡＣＫビットを順序付け、生成し、位置付け、および／または配置するためのステップの説明された順序が、単に例示的なものであり、異なるステップの順序を有する他の実施形態が企図されることが理解されよう。
【０１４４】
いくつかの実施形態では、Ｕｕ  ＨＡＲＱ−ＡＣＫビットおよびＳＬ  ＨＡＲＱ−ＡＣＫビットは、まず、Ｕｕ  ＨＡＲＱ−ＡＣＫビットおよびＳＬ  ＨＡＲＱ−ＡＣＫビットをスロットインデックスに基づいて順序付けおよび／または配置し、次いで、Ｕｕ  ＨＡＲＱ−ＡＣＫビットおよびＳＬ  ＨＡＲＱ−ＡＣＫビットをＨＡＲＱ−ＡＣＫのタイプ（例えば、Ｕｕ  ＨＡＲＱ−ＡＣＫまたはＳＬ  ＨＡＲＱ−ＡＣＫ）に基づいて順序付けおよび／または配置し、次いで、Ｕｕ  ＨＡＲＱ−ＡＣＫビットおよびＳＬ  ＨＡＲＱ−ＡＣＫビットをセルインデックスに基づいて順序付けおよび／または配置することよって、順序付け、生成し、位置付けおよび／または配置してもよい。例えば、第１に、Ｕｕ  ＨＡＲＱ−ＡＣＫビットおよび／またはＳＬ  ＨＡＲＱ−ＡＣＫビットを、スロットインデックスの昇順（および／またはスロットインデックスの降順）に基づいて、順序付け、生成し、位置付け、および／または配置する。第２に、スロット（例えば、単一スロット）における１つ以上のＵｕ  ＨＡＲＱ−ＡＣＫビットおよび１つ以上のＳＬ  ＨＡＲＱ−ＡＣＫビットを、ＨＡＲＱ−ＡＣＫのタイプに基づいて、順序付け、生成し、位置付けおよび／または配置する（例えば、１つ以上のＳＬ  ＨＡＲＱ−ＡＣＫビットの前および／またはこれに先行して、１つ以上のＵｕ  ＨＡＲＱ−ＡＣＫビットを、順序付け、生成し、位置付け、および／または配置する。第３に、スロット（例えば、単一スロット）における１つ以上のＵｕ  ＨＡＲＱ−ＡＣＫビットを、セルインデックスの昇順（および／またはセルインデックスの降順）に基づいて、順序付け、生成し、位置付け、および／または配置し、スロット（例えば、単一スロット）における１つ以上のＳＬ  ＨＡＲＱ−ＡＣＫビットを、セルインデックスの昇順（および／またはセルインデックスの降順）に基づいて、順序付け、生成し、位置付け、および／または配置する。ＵＣＩペイロードにおいて、Ｕｕ  ＨＡＲＱ−ＡＣＫビットおよびＳＬ  ＨＡＲＱ−ＡＣＫビットを順序付け、生成し、位置付け、および／または配置するためのステップの説明された順序が、単に例示的なものであり、異なるステップの順序を有する他の実施形態が企図されることが理解されよう。
【０１４５】
いくつかの実施形態では、第１のデバイスが、スロット＃ｎにおいて、第１の候補ＰＤＳＣＨ受信セットに対応する１つ以上のＨＡＲＱ−ＡＣＫを送信するように、ネットワークによって指示、および／または命令される。
【０１４６】
いくつかの実施形態では、第１のデバイスが、スロット＃ｎにおいて、１つ以上のＳＬ  ＨＡＲＱ−ＡＣＫをネットワークに送信するように、ネットワークによって指示および／または命令され、１つ以上のＳＬ  ＨＡＲＱ−ＡＣＫが、候補ＳＬグラント受信のための第２の機会セットにおいて受信された１つ以上のＳＬグラントによってスケジューリングされた１つ以上のサイドリンク送信に対応する。
【０１４７】
いくつかの実施形態では、スロット＃ｎにおいて、第１のデバイスが、少なくとも１つ以上のＨＡＲＱ−ＡＣＫおよび１つ以上のＳＬ  ＨＡＲＱ−ＡＣＫに関連付けられた第１の数に基づいて、１つ以上のＨＡＲＱ−ＡＣＫおよび１つ以上のＳＬ  ＨＡＲＱ−ＡＣＫを多重化するためのリソースを決定する。第１の数が、１つ以上のＨＡＲＱ−ＡＣＫの数、および／または１つ以上のＳＬ  ＨＡＲＱ−ＡＣＫの数（および／または、１つ以上のＨＡＲＱ−ＡＣＫの数および１つ以上のＳＬ  ＨＡＲＱ−ＡＣＫの数の合計などの組み合わせ）に対応してもよい。代替的および／または追加的に、第１の数が、１つ以上のＨＡＲＱ−ＡＣＫのビット数および／または１つ以上のＳＬ  ＨＡＲＱ−ＡＣＫのビット数（および／または１つ以上のＨＡＲＱ−ＡＣＫのビット数および１つ以上のＳＬ  ＨＡＲＱ−ＡＣＫのビット数の合計などの組み合わせ）に対応してもよい。
【０１４８】
いくつかの実施形態では、第１のデバイスが、１つ以上のＨＡＲＱ−ＡＣＫおよび／または１つ以上のＳＬ  ＨＡＲＱ−ＡＣＫを、第２の機会セット内の（カウンタＤＡＩフィールド値１を備えた）ＳＬグラントに対してのみ、または第１の機会セット内の（カウンタＤＡＩフィールド値１を備えた）下りリンク割り当てによってスケジューリングされたＰＤＳＣＨ受信に対してのみ報告（および／または送信）する場合、第１の数は１であり、そうでなければ、第１の数が、第１の機会セットの濃度および第２の機会セットの濃度の合計のような組み合わせである（例えば、第１の数が、第１の機会セットの濃度に第２の機会セットの濃度を加えたものであってもよい）。いくつかの実施形態では、第１の機会セットが、下りリンク割り当ておよび／または候補ＰＤＳＣＨ受信のためであってもよい。
【０１４９】
いくつかの実施形態では、第１のデバイスが、第２の機会セット内のＳＬグラントに対してのみ、または第１の機会セット内の（カウンタＤＡＩフィールド値１を備えた）下りリンク割り当てによってスケジューリングされたＰＤＳＣＨ受信に対してのみ、１つ以上のＨＡＲＱ−ＡＣＫおよび／または１つ以上のＳＬ  ＨＡＲＱ−ＡＣＫを報告（または送信）する場合、第１の数は１であり、そうでなければ、第１の数が、第１の機会セットの濃度および第２の機会セットの濃度の合計などの組み合わせである（例えば、第１の数が、第１の機会セットの濃度に第２の機会セットの濃度を加えたものであってもよい）。
【０１５０】
いくつかの実施形態では、第１の機会セット内の、カウンタＤＡＩフィールド値１を備えた下りリンク割り当ては、ＰＣｅｌｌ上にある。
【０１５１】
いくつかの実施形態では、第２の機会セット内の、カウンタＤＡＩフィールド値１を備えたＳＬグラントは、ＰＣｅｌｌ上にある。
【０１５２】
いくつかの実施形態では、第１のデバイスが、半静的ＨＡＲＱ−ＡＣＫコードブックで設定される。
【０１５３】
いくつかの実施形態では、第２の機会のセット内に１つの機会があり、および／または第２の機会のセットの濃度が１である。
【０１５４】
いくつかの実施形態では、第２の機会セットセット内に複数の機会がある。
【０１５５】
いくつかの実施形態では、第１のデバイスが、１つ以上のＨＡＲＱ−ＡＣＫおよび／または１つ以上のＳＬ  ＨＡＲＱ−ＡＣＫを、スロット＃ｎに関連付けられた第２の機会セット内の（カウンタＤＡＩフィールド値１を備えた）ＳＬグラントに対してのみ、報告（および／または送信）する場合、第１のデバイスが、スロット＃ｎにおいてネットワークに１つ以上のＳＬ  ＨＡＲＱ−ＡＣＫを送信するようにネットワークによって指示され、第１のデバイスが、スロット＃ｎにおいて１つ以上のＵｕ  ＨＡＲＱ−ＡＣＫを送信するようにネットワークによって指示されない。いくつかの実施形態では、第１のデバイスが、スロット＃ｎに関連付けられた第１の機会セットにおいて、ＰＤＳＣＨを受信しない（例えば、第１のデバイスが、ＰＤＳＣＨを受信しない、および／または、第１のデバイスが、いかなるＰＤＳＣＨも受信しない）。いくつかの実施形態では、第１のデバイスが、スロット＃ｎに関連付けられた第２の機会セットにおいて、カウンタＤＡＩフィールド値１を備えたＳＬグラントを除き、他のＳＬグラントを受信しない。
【０１５６】
いくつかの実施形態では、第１のデバイスが、１つ以上のＨＡＲＱ−ＡＣＫおよび／または１つ以上のＳＬ  ＨＡＲＱ−ＡＣＫを、スロット＃ｎに関連付けられた第１の機会セット内のカウンタＤＡＩフィールド値１を備えた下りリンク割り当てによってスケジューリングされたＰＤＳＣＨ受信に対してのみ報告（または送信）する場合、第１のデバイスが、スロット＃ｎにおいてネットワークに１つ以上のＨＡＲＱ−ＡＣＫを送信するようにネットワークによって指示され、第１のデバイスが、スロット＃ｎにおいて１つ以上のＳＬ  ＨＡＲＱ−ＡＣＫを送信するようにネットワークによって指示されない。いくつかの実施形態では、第１のデバイスが、スロット＃ｎに関連付けられた第２の機会セットにおいて、ＳＬグラントなしを受信する（例えば、第１のデバイスが、ＳＬグラントを受信しない、および／または第１のデバイスが、いかなるＳＬグラントを受信しない）。いくつかの実施形態では、第１のデバイスが、スロット＃ｎに関連付けられた第１の機会セットにおいて、カウンタＤＡＩフィールド値１を備えて下りリンク割り当てを除いて、他の下りリンク割り当てを受信しない。
【０１５７】
いくつかの実施形態では、ＰＤＳＣＨ受信が、ＰＤＳＣＨ受信および／またはＳＰＳ解放を示すＰＤＣＣＨの受信を含む。
【０１５８】
いくつかの実施形態では、本明細書で使用される「下りリンク割り当てによってスケジューリングされたＰＤＳＣＨ受信に対してのみ」は、「下りリンク割り当てによってスケジューリングされたＰＤＳＣＨ受信に対してのみ」および／または「ＳＰＳ解放を示すＰＤＣＣＨの受信に対してのみ」を指す。
【０１５９】
実施形態３
【０１６０】
第１のデバイスが、第１のスロットにおいて、ネットワークからＳＬグラントを受信する。第１のデバイスが、第２のスロットにおいて、ＳＬグラントに基づいて第２のデバイスにサイドリンク送信を行う。
【０１６１】
いくつかの実施形態では、第１のデバイスが、第３のスロットにおいて、第２のデバイスから、サイドリンク送信に対応するＳＬ  ＨＡＲＱ−ＡＣＫフィードバックを受信する。いくつかの実施形態では、第３のスロットが、第２のスロットとは異なることがある。代替的および／または追加的に、第３のスロットが、第２のスロットと同じであってもよい。
【０１６２】
いくつかの実施形態では、第１のデバイスが、第４のスロットにおけるネットワークへのサイドリンク再送信のための要件を示すための指示を送信するように指示、設定、および／または命令される。その指示が、サイドリンク再送信のための要求および／または必要性を示してもよい。例えば、その指示は、第１のデバイスがサイドリンク再送信を行うように要求されることを示してもよい。いくつかの実施形態では、その指示がＳＬ  ＨＡＲＱ−ＡＣＫフィードバックである（例えば、その指示が、第２のデバイスから受信したＳＬ  ＨＡＲＱ−ＡＣＫフィードバックを含む）。いくつかの実施形態では、その指示がＳＬ  ＨＡＲＱ−ＡＣＫフィードバックに基づいて導出／決定される。いくつかの実施形態では、ＳＬ  ＨＡＲＱ−ＡＣＫフィードバックがＡＣＫである場合、その指示はＡＣＫである。いくつかの実施形態では、ＳＬ  ＨＡＲＱ−ＡＣＫフィードバックがＮＡＣＫまたはＤＴＸである場合、その指示はＮＡＣＫである。いくつかの実施形態では、ＳＬ  ＨＡＲＱ−ＡＣＫフィードバックがＮＡＣＫまたはＤＴＸである場合、その指示はＤＴＸである。いくつかの実施形態では、第１のデバイスが、その指示を送信するためのタイミング（例えば、第４のスロット）で設定される。代替的および／または追加的に、タイミングが、第１のデバイスに指示される。いくつかの実施形態では、タイミングが、ＳＬグラントを介して指示され、および／または設定される。例えば、ＳＬグラントが、タイミングを示す。
【０１６３】
いくつかの実施形態では、第４のスロットについて、デバイスが、１つ以上の候補ＰＤＳＣＨ受信（および／または、ＳＰＳ解放を示すＰＤＣＣＨの１つ以上の受信）に対する１つ以上のＨＡＲＱ−ＡＣＫを送信するように、ネットワークによって命令、指示、および／または要求される。
【０１６４】
いくつかの実施形態では、第１のデバイスが、第４のスロットにおいて、第１のリソース上で指示（例えば、ＳＬ  ＨＡＲＱ−ＡＣＫ）および／または１つ以上のＨＡＲＱ−ＡＣＫを送信する。
【０１６５】
いくつかの実施形態では、第１のデバイスが、第１の機会セット（例えば、１つ以上の機会の第１のセット）および第２の機会セット（例えば、１つ以上の機会の第２のセット）に基づいて、ＨＡＲＱ−ＡＣＫビット数を決定する。いくつかの実施形態では、第１の機会セットが、１つ以上の候補ＰＤＳＣＨ受信（および／またはＳＰＳ解放を示すＰＤＣＣＨの１つ以上の受信）に対する第１のＨＡＲＱ−ＡＣＫビット数を決定するために使用される。いくつかの実施形態では、第２の機会セットが、指示のための第２のＨＡＲＱ−ＡＣＫビット数を決定するために使用される。いくつかの実施形態では、第２の機会セットが、ＳＬ  ＨＡＲＱ−ＡＣＫのための第２のＨＡＲＱ−ＡＣＫビット数を決定するために使用される（例えば、第２のＨＡＲＱ−ＡＣＫビット数が、ある数のＳＬ  ＨＡＲＱ−ＡＣＫビットに対応してもよい）。
【０１６６】
いくつかの実施形態では、第４のスロットが、スロット＃ｎである。
【０１６７】
いくつかの実施形態では、第１のデバイスが、ある数のリソースセットまでを有する複数のリソースセットで設定されることができ、リソースセットが、１つ以上のＨＡＲＱ−ＡＣＫを送信するための少なくとも１つのリソースを含む。
【０１６８】
いくつかの実施形態では、第１のデバイスが、第４のスロット（例えば、スロット＃ｎ）において、ＨＡＲＱ−ＡＣＫフィードバックを示すＤＣＩを受信する（例えば、ＤＣＩが、第４のスロットにおけるＨＡＲＱ−ＡＣＫフィードバックの送信を示してもよい）。いくつかの実施形態では、第１のデバイスが、第４のスロット（例えば、スロット＃ｎ）におけるＨＡＲＱ−ＡＣＫフィードバックを示す、時間領域において最後の（受信された）ＤＣＩ（例えば、直近に受信されたＤＣＩ）であるＤＣＩを受信する（例えば、ＤＣＩが、第４のスロットにおけるＨＡＲＱ−ＡＣＫフィードバックの送信を示してもよい）。
【０１６９】
いくつかの実施形態では、ＤＣＩが、リソースインデックスを生成するためのリソースオフセット（例えば、ＰＲＯ）を示す。
【０１７０】
いくつかの実施形態では、第１のデバイスが、リソースインデックスおよびＨＡＲＱ−ＡＣＫビット数および／または第１のＨＡＲＱ−ＡＣＫビット数に基づいて第１のリソースを決定する。
【０１７１】
いくつかの実施形態では、第１のデバイスが、第４のスロットにおけるネットワークへの（Ｕｕインターフェースに関連付けられた）１つ以上のＨＡＲＱ−ＡＣＫの送信を示す、時間領域において最後に受信されたＤＣＩである第１のＤＣＩを受信する（例えば、第１のＤＣＩが、直近に受信されたＤＣＩである）。いくつかの実施形態では、第１のＤＣＩが、ＰＤＳＣＨをスケジューリングする。
【０１７２】
いくつかの実施形態では、第１のＤＣＩが、第１のリソースインデックスを生成するための第１のリソースオフセット（例えば、ＰＲＯ）を示す。
【０１７３】
いくつかの実施形態では、第１のデバイスが、第１のリソースインデックスおよびＨＡＲＱ−ＡＣＫビット数および／または第１のＨＡＲＱ−ＡＣＫビット数に基づいて第１のリソースを決定する。
【０１７４】
いくつかの実施形態では、第１のデバイスが、第４のスロットにおいてネットワークへの１つ以上のＳＬ  ＨＡＲＱ−ＡＣＫの送信を示す、時間領域において最後に受信されたＳＬグラントである第２のＤＣＩを受信する（例えば、第２のＤＣＩが、直近に受信したＳＬグラントである）。いくつかの実施形態では、第２のＤＣＩが、１つ以上のサイドリンクリソースをスケジューリングする。
【０１７５】
いくつかの実施形態では、第２のＤＣＩが、第２のリソースインデックスを生成するための第２のリソースオフセット（例えば、ＰＲＯ）を示す。
【０１７６】
いくつかの実施形態では、第１のデバイスが、第２のリソースインデックスおよびＳＬ  ＨＡＲＱ−ＡＣＫビット数（例えば、第２のＨＡＲＱ−ＡＣＫビット数）に基づいて第１のリソースを決定する。
【０１７７】
いくつかの実施形態では、第１のカウンタＤＡＩが、スロット＃ｎにおけるＨＡＲＱ−ＡＣＫ送信を示す１つ以上の下りリンク割り当て（および／または１つ以上のＳＰＳ解放）をカウントするために使用される。
【０１７８】
いくつかの実施形態では、第２のカウンタＤＡＩが、スロット＃ｎにおけるＳＬ  ＨＡＲＱ−ＡＣＫ送信を示す１つ以上の受信されたＳＬグラントをカウントするために使用される。
【０１７９】
いくつかの実施形態では、第１のカウンタＤＡＩが、スロット＃ｎにおけるＨＡＲＱ−ＡＣＫ送信を示す下りリンク割り当て（および／またはＳＰＳ解放）の累積数を示す。
【０１８０】
いくつかの実施形態では、第２のカウンタＤＡＩが、スロット＃ｎにおけるＳＬ  ＨＡＲＱ−ＡＣＫ送信を示すＳＬグラントの累積数を示す。
【０１８１】
いくつかの実施形態では、ＳＬグラントがスロット＃ｎにおけるＳＬ  ＨＡＲＱ−ＡＣＫ送信を示さない場合、第２のカウンタＤＡＩはＳＬグラントをカウントしない（例えば、第２のカウンタＤＡＩが、ＳＬグラントに基づいて決定されない）。
【０１８２】
図７に関して、いくつかの実施形態では、（期間７０２において受信された）ＳＬグラント１は、第２のカウンタＤＡＩが｛１｝を示してもよく、および／または（期間７０２の後の期間７０４において受信された）ＳＬグラント２は、第２のカウンタＤＡＩが｛２｝を示してもよい。
【０１８３】
いくつかの実施形態では、（期間７０６において受信された）ＰＤＣＣＨ１は、第１のカウンタＤＡＩが｛１｝を示してもよく、および／または（期間７０６の後の期間７０８において受信された）ＰＤＣＣＨ２は、第１のカウンタＤＡＩが｛２｝を示してもよい。
【０１８４】
いくつかの実施形態では、第１のデバイスがＳＬグラント１を正しく受信しない（および／または受信しない）シナリオにおいて、第１のデバイスが、第２のカウンタＤＡＩが｛２｝であることを示すＳＬグラント２を受信した場合、第１のデバイスは、ＳＬグラント２の前に、受信失敗などの損失があると決定してもよい（例えば、第１のデバイスは、第２のカウンタＤＡＩが｛２｝であることに基づいて損失を決定してもよい）。
【０１８５】
図１１は、タイプ１ＨＡＲＱ−ＡＣＫコードブックについて、単一セルに対するＵＣＩペイロードサイズ（例えば、ＨＡＲＱ−ＡＣＫビット数）を含む表１１００を示す。
【０１８６】
いくつかの実施形態では、第１のデバイスが、８つの異なるｋ１値および４つの異なるｋ３値で設定されてもよい。例えば、ｋ１（例えば、第１の複数のスロットオフセット）が、８個のスロットオフセット（例えば、８個のｋ１値）を含んでもよく、および／またはｋ３（例えば、第２の複数のスロットオフセット）が、４個のスロットオフセット（例えば、４個のｋ３値）を含んでもよい。代替的および／または追加的に、ｋ１が、８と異なる個数のｋ１値を含んでもよく、および／またはｋ３が、４とは異なる数のｋ３値を含んでもよい。
【０１８７】
いくつかの実施形態では、スロット＃ｎ−ｋ１のうちのスロット（および／またはスロット＃ｎ−ｋ１の各スロット）が、１つの機会および／またはこれに対応する。
【０１８８】
いくつかの実施形態では、８個のｋ１値（例えば、８スロットオフセット）を含むｋ１が、ＨＡＲＱ−ＡＣＫフィードバックのために８つの機会に対応してもよく、および／またはこれを参照してもよい。例えば、スロット＃ｎ−ｋ１が、ＨＡＲＱ−ＡＣＫフィードバックのために８つの機会を生成および／またはこれに対応してもよい。
【０１８９】
いくつかの実施形態では、スロット＃ｎ−ｋ３のうちのスロット（および／またはスロット＃ｎ−ｋ３の各スロット）が、１つの機会を生成および／またはこれに対応する。
【０１９０】
いくつかの実施形態では、４個のｋ３値（例えば、４スロットオフセット）を含むｋ３が、受信／導出／決定されたＳＬ  ＨＡＲＱ−ＡＣＫを送信するための４つの機会に対応してもよく、および／またはこれを参照してもよい。例えば、スロット＃ｎ−ｋ３が、受信／導出／決定されたＳＬ  ＨＡＲＱ−ＡＣＫを送信するための４つの機会を生成および／またはこれに対応してもよい。
【０１９１】
いくつかの実施形態では、表１１００において、一番上の行の｛０｝が、スロット＃ｎに対するＨＡＲＱ−ＡＣＫを示す下りリンク割り当てがないことを示す（例えば、スロット＃ｎにおけるＨＡＲＱ−ＡＣＫ送信を示す下りリンク割り当てが、第１のデバイスによって受信されない）。
【０１９２】
いくつかの実施形態では、表１１００において、左側の列の｛０｝が、スロット＃ｎに対するＨＡＲＱ−ＡＣＫを示すＳＬグラント受信がないことを示す（例えば、スロット＃ｎにおけるＨＡＲＱ−ＡＣＫ送信を示すＳＬグラント受信が、第１のデバイスによって受信されない）。
【０１９３】
いくつかの実施形態では、表１１００において、（一番上の行または左側の列の）｛１｝が、スロット＃ｎへのＨＡＲＱ−ＡＣＫを示す１つの下りリンク割り当てのみ（下りリンク割り当ての第１のカウンタＤＡＩによって示されるカウンタＤＡＩ値が｛１｝である）、またはスロット＃ｎへのＨＡＲＱ−ＡＣＫを示す１つのＳＬグラント受信のみ（ＳＬグラントの第２のカウンタＤＡＩによって示されるカウンタＤＡＩ値が｛１｝である）を示す。
【０１９４】
いくつかの実施形態では、表１１００において、一番上の行の｛１｝が、スロット＃ｎへのＨＡＲＱ−ＡＣＫを示す１つの下りリンク割り当て（下りリンク割り当ての第１のカウンタＤＡＩによって示されるカウンタＤＡＩ値が｛１｝である）を示す（例えば、スロット＃ｎにおけるＨＡＲＱ−ＡＣＫ送信を示す１つの下りリンク割り当てのみが、第１のデバイスによって受信され、下りリンク割り当ての第１のカウンタＤＡＩによって示されるカウンタＤＡＩ値が｛１｝である）。
【０１９５】
いくつかの実施形態では、表１１００において、左側の列の｛１｝が、スロット＃ｎへのＨＡＲＱ−ＡＣＫを示す１つのＳＬグラント受信（ＳＬグラントの第２のカウンタＤＡＩによって示されるカウンタＤＡＩ値が｛１｝である）を示す（例えば、スロット＃ｎにおけるＨＡＲＱ−ＡＣＫ送信を示す１つのＳＬグラントのみが、第１のデバイスによって受信され、ＳＬグラントの第２のカウンタＤＡＩによって示されるカウンタＤＡＩ値は｛１｝である）。
【０１９６】
いくつかの実施形態では、表１１００において、一番上の行の（１，Ｘ］は、第１のデバイスが、スロット＃ｎにおけるＨＡＲＱ−ＡＣＫ送信を示す１より多い最大Ｘ個の下りリンク割り当て（および／またはＳＰＳ解放）を受信することか、または第１のデバイスが、スロット＃ｎにおけるＨＡＲＱ−ＡＣＫ送信を示す１つの下りリンク割り当て（下りリンク割り当ての第１のカウンタＤＡＩによって示されるカウンタＤＡＩ値が｛１｝以外である）のみを受信することを示す。
【０１９７】
いくつかの実施形態では、表１１００において、左列の（１，Ｙ］は、第１のデバイスが、スロット＃ｎにおけるＳＬ  ＨＡＲＱ−ＡＣＫ送信を示す１より多い最大Ｙ個のＳＬグラントを受信することか、または第１のデバイスが、スロット＃ｎにおけるＳＬ  ＨＡＲＱ−ＡＣＫ送信を示す１つのＳＬグラント（ＳＬグラントの第２のカウンタＤＡＩによって示されるカウンタＤＡＩ値が｛１｝以外である）のみを受信することを示す。
【０１９８】
図７の例示的なシナリオでは、単一セルに対してＸが８であってもよく、Ｙが４であってもよい。
【０１９９】
いくつかの実施形態では、表１１００が、第１のデバイスがキャリアアグリゲーションで設定され、第１のデバイスが、設定されたおよび／またはアクティブ化されたキャリアおよび／またはセルに対するＨＡＲＱ−ＡＣＫコードブックを生成するシナリオに拡張されてもよい。
【０２００】
いくつかの実施形態では、キャリアアグリゲーションの場合、Ｘが、セルの数（例えば、設定されたおよび／またはアクティブ化されたセルの数）を８に乗じたものとなる。例えば、Ｘが、第１のデバイスがキャリアアグリゲーションで設定されるシナリオにおけるセルの数を８に乗じたものに等しくてもよい。
【０２０１】
いくつかの実施形態では、キャリアアグリゲーションの場合、Ｙが、セルの数（例えば、設定されたおよび／またはアクティブ化されたセルの数）を４に乗じたものとなる。例えば、Ｙが、第１のデバイスがキャリアアグリゲーションで設定されるシナリオにおけるセルの数を４に乗じたものに等しくてもよい。
【０２０２】
いくつかの実施形態では、第１のデバイスが、スロット＃ｎに対するＨＡＲＱ−ＡＣＫ送信を示す１つの下りリンク割り当て（下りリンク割り当ての第１のカウンタＤＡＩによって示されるカウンタＤＡＩ値が｛１｝である）のみ、およびスロット＃ｎに対するＳＬ  ＨＡＲＱ−ＡＣＫ送信を示す１つのＳＬグラント（ＳＬグラントの第２のカウンタＤＡＩによって示されるカウンタＤＡＩ値が｛１｝である）のみを受信する場合、第１のデバイスが、（スロット＃ｎにおける）ＨＡＲＱ−ＡＣＫフィードバックのために２ビットを生成し、２ビットが、下りリンク割り当てに対応する１ビットのＨＡＲＱ−ＡＣＫおよび１ビットのＳＬ  ＨＡＲＱ−ＡＣＫを含む。いくつかの実施形態では、２ビットの最上位ビットが、１ビットのＨＡＲＱ−ＡＣＫまたは１ビットのＳＬ  ＨＡＲＱ−ＡＣＫを参照する。
【０２０３】
図１２は、タイプ１ＨＡＲＱ−ＡＣＫコードブックのための、単一セルに対するＵＣＩペイロードサイズ（例えば、ＨＡＲＱ−ＡＣＫビット数）を含む表１２００を示す。
【０２０４】
表１２００（および／または、表１２００によって示されるＵＣＩペイロードサイズ）が、表１１００（および／または、表１１００によって示されるＵＣＩペイロードサイズ）に追加して、またはこれの代替として使用されてもよい。
【０２０５】
いくつかの実施形態では、第１のＨＡＲＱ−ＡＣＫビット数を有する１つ以上のＨＡＲＱ−ＡＣＫビットが、第１のデバイスによって生成され、１つ以上のＨＡＲＱ−ＡＣＫビットがＵｕインターフェースおよびＳＬ  ＨＡＲＱ−ＡＣＫに関連付けられたＨＡＲＱ−ＡＣＫを含む。第１のＨＡＲＱ−ＡＣＫビット数が、固定および／または設定されてもよい。
【０２０６】
表１２００が、スロット＃ｎにおけるＨＡＲＱ−ＡＣＫフィードバックのための２つの異なるペイロードサイズ（例えば、２ビットペイロードサイズおよび１２ビットペイロードサイズ）を提供する。
【０２０７】
いくつかの実施形態では、第１のデバイスが、１つの下りリンク割り当て（下りリンク割り当ての第１のカウンタＤＡＩによって示されるカウンタＤＡＩ値が｛１｝である）のみ、および／または１つのＳＬグラント（ＳＬグラントの第２のカウンタＤＡＩによって示されるカウンタＤＡＩ値が｛１｝である）のみを受信する場合、第１のデバイスが、スロット＃ｎにおけるＨＡＲＱ−ＡＣＫフィードバックのための２ビットを生成し、２ビットが、下りリンク割り当てに対応する１ビットのＨＡＲＱ−ＡＣＫおよび１ビットのＳＬ  ＨＡＲＱ−ＡＣＫを含む。いくつかの実施形態では、２ビットの最上位ビットが、１ビットのＨＡＲＱ−ＡＣＫまたは１ビットのＳＬ  ＨＡＲＱ−ＡＣＫを参照する。いくつかの実施形態では、第１のデバイスが１つの下りリンク割り当て（下りリンク割り当ての第１のカウンタＤＡＩによって示されるカウンタＤＡＩ値が｛１｝である）のみを受信し、ＳＬグラント受信がないシナリオでは、２ビットが１ビットのＨＡＲＱ−ＡＣＫを含み、他の１ビットがＮＡＣＫとすることができる。いくつかの実施形態では、他のビットはネットワークによって無視される。いくつかの実施形態では、第１のデバイスが１つのＳＬグラント（ＳＬグラントの第２のカウンタＤＡＩによって示されるカウンタＤＡＩ値が｛１｝である）のみを受信し、下りリンク割り当て受信がないシナリオでは、２ビットが１ビットのＳＬ  ＨＡＲＱ−ＡＣＫを含み、他の１ビットがＮＡＣＫとすることができる。いくつかの実施形態では、他のビットはネットワークによって無視される。
【０２０８】
いくつかの実施形態では、第１のデバイスが、２つのカウンタＤＡＩで設定され、第１のカウンタＤＡＩが、スロット＃ｎにおけるＨＡＲＱ−ＡＣＫ送信を示す下りリンク割り当ての累積数をカウントするために使用され、第２のカウンタＤＡＩが、スロット＃ｎにおける受信／導出／決定されたＳＬ  ＨＡＲＱ−ＡＣＫを送信するＳＬグラントの累積数をカウントために使用される。
【０２０９】
いくつかの実施形態では、第１のデバイスが、候補ＰＤＳＣＨ受信のための第１の機会セットで設定される。
【０２１０】
いくつかの実施形態では、第１のデバイスが、候補ＳＬグラント受信のための第２の機会セットで設定される。
【０２１１】
いくつかの実施形態では、第１のデバイスが、スロット＃ｎにおいて、候補ＰＤＳＣＨ受信のための第１の機会セットに対応する１つ以上のＨＡＲＱ−ＡＣＫを送信するように、ネットワークによって指示される。
【０２１２】
いくつかの実施形態では、第１のデバイスが、スロット＃ｎにおいて、ネットワークに１つ以上のＳＬ  ＨＡＲＱ−ＡＣＫを送信するように、ネットワークによって指示され、１つ以上のＳＬ  ＨＡＲＱ−ＡＣＫが、候補ＳＬグラント受信のための第２の機会セットにおいて受信された１つ以上のＳＬグラントによってスケジューリングされた１つ以上のサイドリンク送信に対応する。
【０２１３】
いくつかの実施形態では、第１のデバイスは、第１のデバイスが、第１の機会セット内の第１のカウンタＤＡＩによって示されるカウンタＤＡＩフィールド値１を備えた下りリンク割り当てによってスケジューリングされたＰＤＳＣＨ受信のみを受信するかどうかに基づいて、１つ以上のＨＡＲＱ−ＡＣＫに関連付けられた第１の数（例えば、１つ以上のＨＡＲＱ−ＡＣＫのうちのＨＡＲＱ−ＡＣＫの第１の数および／または１つ以上のＨＡＲＱ−ＡＣＫの第１のビット数）を決定する。いくつかの実施形態では、第１のデバイスが、第１の機会セット内の第１のカウンタＤＡＩによって示されるカウンタＤＡＩフィールド値１を備えた下りリンク割り当てによってスケジューリングされたＰＤＳＣＨ受信以外の他のＰＤＳＣＨを受信しない。
【０２１４】
いくつかの実施形態では、第１のデバイスが、第２の機会セット内に、第２のカウンタＤＡＩによって示されるカウンタＤＡＩフィールド値１を備えたＳＬグラントのみを受信するかどうかに基づいて、１つ以上のＳＬ  ＨＡＲＱ−ＡＣＫに関連付けられた第２の数（例えば、１つ以上のＳＬ  ＨＡＲＱ−ＡＣＫの第２の数および／または１つ以上のＳＬ  ＨＡＲＱ−ＡＣＫの第２のビット数）を決定する。いくつかの実施形態では、第１のデバイスが、第２の一機会セット内に、第２のカウンタＤＡＩによって示されるカウンタＤＡＩフィールド値１を備えた下りリンク割り当てによってスケジューリングされたＳＬグラント以外の他のＳＬグラントを受信しない。
【０２１５】
いくつかの実施形態では、スロット＃ｎにおいて、第１のデバイスが、リソース上で第１の数に基づいて１つ以上のＨＡＲＱ−ＡＣＫ、および／または、第２の数に基づいて１つ以上のＳＬ  ＨＡＲＱ−ＡＣＫを送信する。例えば、スロット＃ｎにおいて、第１のデバイスが、リソース上でＨＡＲＱ−ＡＣＫの第１の数を有する１つ以上のＨＡＲＱ−ＡＣＫ、およびＳＬ  ＨＡＲＱ−ＡＣＫの第２の数を有する１つ以上のＳＬ  ＨＡＲＱ−ＡＣＫを送信する。代替的および／または追加的に、スロット＃ｎにおいて、第１のデバイスが、リソース上で第１のビット数を有する１つ以上のＨＡＲＱ−ＡＣＫ、および第２のビット数を有する１つ以上のＳＬ  ＨＡＲＱ−ＡＣＫを送信する。
【０２１６】
いくつかの実施形態では、ＰＤＳＣＨ受信が、ＰＤＳＣＨ受信および／またはＳＰＳ解放を示すＰＤＣＣＨの受信を含む。
【０２１７】
いくつかの実施形態では、本明細書で使用される「下りリンク割り当てによってスケジューリングされたＰＤＳＣＨ受信に対してのみ」は、「下りリンク割り当てによってスケジューリングされたＰＤＳＣＨ受信に対してのみ」および／または「ＳＰＳ解放を示すＰＤＣＣＨの受信に対してのみ」を指す。
【０２１８】
前述の概念および／または実施形態の１つ、いくつか、および／またはすべてを、新しい実施形態に形成することができる。
【０２１９】
いくつかの例において、実施形態１、実施形態２および実施形態３など、本明細書に開示される実施形態の各々が、独立して、および／または別々に実施されてもよい。代替的および／または追加的に、実施形態１、実施形態２、および／または実施形態３など、本明細書に開示された実施形態のうちの２つ以上の組み合わせが実施されてもよい。代替的および／または追加的に、実施形態１、実施形態２および／または実施形態３など、本明細書に開示された実施形態の２つ以上の組み合わせが同時に（concurrently  and/or  simultaneously）実施されてもよい。
【０２２０】
本開示の様々な技術が、独立して、および／または互いに分離して行われてもよい。代替的および／または追加的に、本開示の様々な技術が、単一システムを用いて組み合わされおよび／または実施されてもよい。代替的および／または追加的に、本開示の様々な技術が同時に（concurrently  and/or  simultaneously）実施されてもよい。
【０２２１】
図１３は、ネットワークスケジューリングモード（例えば、ＮＲ  Ｖ２Ｘ／ＳＬモード１）においてサイドリンク通信を実行するための第１のデバイスの観点からの１つの例示的な実施形態によるフローチャート１３００である。ステップ１３０５では、第１のデバイスが、スロットにおいて、候補ＰＤＳＣＨ受信のための第１の機会セットに対応する１つ以上のＨＡＲＱ−ＡＣＫを送信するように、ネットワークによって指示および／または命令される（例えば、第１のデバイスが、ネットワークに１つ以上のＨＡＲＱ−ＡＣＫを送信するようにネットワークによって指示および／または命令され得る）。ステップ１３１０では、第１のデバイスが、そのスロットにおいて、ネットワークに１つ以上のＳＬ  ＨＡＲＱ−ＡＣＫを送信するようにネットワークによって指示および／または命令され、１つ以上のＳＬ  ＨＡＲＱ−ＡＣＫが、１つ以上のＳＬグラントによってスケジューリングされた１つ以上のサイドリンク送信に対応し、１つ以上のＳＬグラントが、候補ＳＬグラント受信のための第２の機会セットにおいて受信される。ステップ１３１５では、第１のデバイスが、少なくとも１つ以上のＨＡＲＱ−ＡＣＫおよび１つ以上のＳＬ  ＨＡＲＱ−ＡＣＫに関連付けられた数に基づいて、１つ以上のＨＡＲＱ−ＡＣＫおよび１つ以上のＳＬ  ＨＡＲＱ−ＡＣＫを多重化するためにスロットにおけるリソースを決定する。第１のデバイスが、１つ以上のＨＡＲＱ−ＡＣＫおよび／または１つ以上のＳＬ  ＨＡＲＱ−ＡＣＫを、第２の機会セット内のＳＬグラント（カウンタＤＡＩフィールド値が１）のみに対して、または第１の機会セット内の下りリンク割り当て（カウンタＤＡＩフィールド値が１）によってスケジューリングされたＰＤＳＣＨ受信のみに対して、報告（および／または送信）する場合、その数は１であり、それ以外の場合、その数は、第１の機会セットの濃度に第２の機会セットの濃度を加えたものである。
【０２２２】
一実施形態では、ＳＬグラントは、カウンタＤＡＩ値を示す。
【０２２３】
一実施形態では、下りリンク割り当ては、カウンタＤＡＩ値を示す。
【０２２４】
一実施形態では、カウンタＤＡＩは、第１の機会セットにおけるＰＤＳＣＨをスケジューリングする下りリンク割り当て、および／または第２の機会セットにおけるＳＬグラントの累積数を示す。
【０２２５】
一実施形態では、リソースが、スロット内のＨＡＲＱ−ＡＣＫを送信するように最初のデバイスに指示および／または指示する、時間ドメイン内の最後に受信したＳＬグラントまたは下りリンク割り当て（例えば、最後に受信したＳＬグラントまたは下りリンク割り当て）に基づいて決定される。
【０２２６】
一実施形態では、第２の機会セット内のカウンタＤＡＩフィールド値が１であるＳＬグラントが、ＰＣｅｌｌ上にある。
【０２２７】
一実施形態では、第１の機会セット内のカウンタＤＡＩフィールド値が１である下りリンク割り当てが、ＰＣｅｌｌ上にある。
【０２２８】
一実施形態では、第１のデバイスが、半静的ＨＡＲＱ−ＡＣＫコードブックで設定される。
【０２２９】
一実施形態では、１つ以上のＨＡＲＱ−ＡＣＫに関連付けられた数が、１つ以上のＨＡＲＱ−ＡＣＫおよび１つ以上のＳＬ  ＨＡＲＱ−ＡＣＫのビット数に対応する。
【０２３０】
一実施形態では、１つ以上のＨＡＲＱ−ＡＣＫに関連付けられた数が、１つ以上のＨＡＲＱ−ＡＣＫおよび１つ以上のＳＬ  ＨＡＲＱ−ＡＣＫのＨＡＲＱ−ＡＣＫの数に対応する。
【０２３１】
図３および図４に戻って参照すると、第１のデバイスの１つの例示的な実施形態では、デバイス３００が、メモリ３１０に記憶されたプログラムコード３１２を含む。ＣＰＵ３０８がプログラムコード３１２を実行して、第１のデバイスが、（ｉ）スロットにおいて、候補ＰＤＳＣＨ受信のための第１のセットに対応する１つ以上のＨＡＲＱ−ＡＣＫを送信するように、ネットワークによって指示および／または命令されることと、（ｉｉ）スロットにおいて、ネットワークに１つ以上のＳＬ  ＨＡＲＱ−ＡＣＫを送信するように、ネットワークによって指示および／または命令されることであって、１つ以上のＳＬ  ＨＡＲＱ−ＡＣＫが、候補ＳＬ受信のための第２の機会セットにおいて受信された１つ以上のＳＬグラントによってスケジューリングされた１つ以上のサイドリンク送信に対応すること、指示および／または命令されることと、（ｉｉｉ）少なくとも１つ以上のＨＡＲＱ−ＡＣＫおよび１つ以上のＳＬ  ＨＡＲＱ−ＡＣＫに関連付けられた数に基づいて、１つ以上のＨＡＲＱ−ＡＣＫおよび１つ以上のＳＬ  ＨＡＲＱ−ＡＣＫを多重化するためにスロットにおけるリソースを決定することと、をするのを可能にすることができる。さらに、ＣＰＵ３０８が、プログラムコード３１２を実行して、上述のアクションおよびステップ、および／または他のもののうちの１つ、いくつか、および／またはすべてを実行することができる。
【０２３２】
図１４は、Ｖ２Ｘネットワークスケジューリングモードにおける第１のデバイスの観点からの１つの例示的な実施形態によるフローチャート１４００である。ステップ１４０５では、第１のデバイスが、２つのカウンタＤＡＩで設定され、スロットにおけるＨＡＲＱ−ＡＣＫ送信を示す下りリンク割り当ての累積数をカウントするために（２つのカウンタＤＡＩのうちの）第１のカウンタＤＡＩが使用され、スロットにおいて１つ以上の受信／導出／決定されたＳＬ  ＨＡＲＱ−ＡＣＫを送信することを示すＳＬグラントの累積数をカウントするために（２つのカウンタＤＡＩのうちの）第２のカウンタＤＡＩが使用される。
ステップ１４１０において、第１のデバイスが、スロットにおいて候補ＰＤＳＣＨ受信のための第１の機会セットに対応するＨＡＲＱ−ＡＣＫを送信するように、ネットワークによって指示および／または命令される。ステップ１４１５において、第１のデバイスが、スロットにおいてネットワークにＳＬ  ＨＡＲＱ−ＡＣＫを送信するように、ネットワークによって指示および／または命令され、ＳＬ  ＨＡＲＱ−ＡＣＫが、候補ＳＬグラント受信のための第２の機会セットにおいて受信された１つ以上のＳＬグラントによってスケジューリングされる１つ以上のＳＬ送信に対応する。ステップ１４２０において、第１のデバイスが、第１の機会セット内の第１のカウンタＤＡＩによって示される、カウンタＤＡＩフィールド値１（例えば、カウンタＤＡＩフィールド値１が、下りリンク割り当てにおける第１のカウンタＤＡＩの表示により示されてもよい）を備えた下りリンク割り当てによってスケジューリングされたＰＳＤＣＨ受信のみ（例えば、単一ＰＤＳＣＨ受信）を受信するかどうかに基づいて、第１のデバイスは、１つ以上のＨＡＲＱ−ＡＣＫに関連付けられた第１の数を決定する。ステップ１４２５では、第１のデバイスが、第２の機会セット内の第２のカウンタＤＡＩによって示されるカウンタＤＡＩフィールド値１（例えば、カウンタＤＡＩフィールド値１が、ＳＬグラントにおける第２のカウンタＤＡＩの表示によって示されてもよい）を備えたＳＬグラントのみ（例えば、単一ＳＬグラント）を受信するどうかに基づいて、第１のデバイスは、１つ以上のＳＬ  ＨＡＲＱ−ＡＣＫに関連付けられた第２の数を決定する。ステップ１４３０では、第１のデバイスが、第１の数および第２の数に基づいて、スロットにおいて、リソース上で１つ以上のＨＡＲＱ−ＡＣＫおよび１つ以上のＳＬ  ＨＡＲＱ−ＡＣＫを送信する。一例では、第１の数が、１つ以上のＨＡＲＱ−ＡＣＫのＨＡＲＱ−ＡＣＫの数に対応し、および／または第２の数が、１つ以上のＳＬ  ＨＡＲＱ−ＡＣＫのＳＬ  ＨＡＲＱ−ＡＣＫの数に対応する。例えば、第１のデバイスが、第１の数のＨＡＲＱ−ＡＣＫを有する１つ以上のＨＡＲＱ−ＡＣＫ、および／または第２の数のＨＡＲＱ−ＡＣＫを有する１つ以上のＳＬ  ＨＡＲＱ−ＡＣＫを送信してもよい。一例では、第１の数が、１つ以上のＨＡＲＱ−ＡＣＫのＨＡＲＱ−ＡＣＫビット数に対応し、第２の数が、１つ以上のＳＬ  ＨＡＲＱ−ＡＣＫのＳＬ  ＨＡＲＱ−ＡＣＫビット数に対応する。例えば、第１のデバイスが、第１のＨＡＲＱ−ＡＣＫビット数を有する１つ以上のＨＡＲＱ−ＡＣＫ、および／または第２のＨＡＲＱ−ＡＣＫビット数を有する１つ以上のＳＬ  ＨＡＲＱ−ＡＣＫを送信してもよい。いくつかの実施形態では、リソースが、第１の数および第２の数に基づいて決定される。
【０２３３】
一実施形態では、リソースが、スロットにおいてＨＡＲＱ−ＡＣＫを送信するように第１のデバイスに指示および／または命令する、時間領域において最後に受信したＳＬグラントまたは下りリンク割り当て（例えば、直近に受信したＳＬグラントまたは下りリンク割り当て）に基づいて決定される。
【０２３４】
一実施形態では、第１の一機会セット内の第１のカウンタＤＡＩによって示されるカウンタＤＡＩフィールド値１を備えた下りリンク割り当てが、ＰＣｅｌｌ上にある。
【０２３５】
一実施形態では、第２の一機会セット内の第２のカウンタＤＡＩによって示されるカウンタＤＡＩフィールド値１を備えたＳＬグラントが、ＰＣｅｌｌ上にある。
【０２３６】
一実施形態では、第１のデバイスが、半静的ＨＡＲＱ−ＡＣＫコードブックで設定される。
【０２３７】
図３および図４に戻って参照すると、第１のデバイスの１つの例示的な実施形態では、デバイス３００が、メモリ３１０に記憶されたプログラムコード３１２を含む。ＣＰＵ３０８がプログラムコード３１２を実行して、第１のデバイスが、（ｉ）２つのカウンタＤＡＩで設定されることであって、スロットにおけるＨＡＲＱ−ＡＣＫ送信を示す下りリンク割り当ての累積数をカウントするために第１のカウンタＤＡＩが使用され、スロットにおいて１つ以上の受信／導出／決定されたＳＬ  ＨＡＲＱ−ＡＣＫを送信することを示すＳＬグラントの累積数をカウントするために第２のカウンタＤＡＩが使用される、設定されることと、（ｉｉ）スロットにおいて候補ＰＤＳＣＨ受信のための第１の機会セットに対応する１つ以上のＨＡＲＱ−ＡＣＫを送信するように、ネットワークによって指示および／または命令されることと、（ｉｉｉ）スロットにおいてネットワークに１つ以上のＳＬ  ＨＡＲＱ−ＡＣＫを送信するように、ネットワークによって指示および／または命令されることであって、１つ以上のＳＬ  ＨＡＲＱ−ＡＣＫが、候補ＳＬグラント受信のための第２の機会セットにおいて受信された１つ以上のＳＬグラントによってスケジューリングされた１つ以上のサイドリンク送信に対応する、指示および／または命令されることと、（ｉｖ）第１の機会セット内の第１のカウンタＤＡＩによって示されるカウンタＤＡＩフィールド値１を備えた下りリンク割り当てによってスケジューリングされたＰＳＤＣＨ受信のみを受信するかどうかに基づいて、１つ以上のＨＡＲＱ−ＡＣＫに関連付けられた第１の数を決定することと、（ｖ）第２の機会セット内の第２のカウンタＤＡＩによって示されるカウンタＤＡＩフィールド値１を備えたＳＬグラントのみを受信するかどうかに基づいて、１つ以上のＳＬ  ＨＡＲＱ−ＡＣＫに関連付けられた第２の数を決定することと、（ｖｉ）第１の数および第２の数に基づいて、スロットにおいて、リソース上で１つ以上のＨＡＲＱ−ＡＣＫおよび１つ以上のＳＬ  ＨＡＲＱ−ＡＣＫを送信することと、をするのを可能にすることができる。さらに、ＣＰＵ  ３０８が、プログラムコード３１２を実行して、上述のアクションおよびステップ、および／または他のもののうちの１つ、いくつか、および／またはすべてを実行することができる。図１５は、サイドリンクネットワークスケジューリングモードにおける第１のデバイスの観点からの１つの例示的な実施形態によるフローチャート１５００である。第１のデバイスは、ネットワークによって、第２のスロットオフセットセットで設定される。ステップ１５０５では、第１のデバイスが、ネットワークから、サイドリンクリソースをスケジューリングする第２のＤＣＩを受信する。ステップ１５１０では、第１のデバイスが、サイドリンクリソース上で、第２のデバイスへのサイドリンク送信を行う。。ステップ１５１５では、第１のデバイスが、第４のスロットにおいて、第２のデバイスからのＳＬ  ＨＡＲＱ−ＡＣＫフィードバックを監視（例えば、モニタ）および／または受信する。ＳＬ  ＨＡＲＱ−ＡＣＫフィードバックが、サイドリンク送信に関連付けられている。ステップ１５２０では、第１のデバイスが、第４のス��ットおよび第２のＤＣＩによって示される第２のスロットオフセット値に基づいて、ＳＬ  ＨＡＲＱ−ＡＣＫをネットワークに送信するための第３のスロットを導出する。ＳＬ  ＨＡＲＱ−ＡＣＫが、受信したＳＬ  ＨＡＲＱ−ＡＣＫフィードバックに基づいて設定／導出／決定される。第２のスロットオフセットセットが、第２のスロットオフセット値（例えば、第２のスロットオフセット値が、第２のスロットオフセットセットのうちのもの、および／または第２のＤＣＩが、第２のスロットオフセットセットのうちの第２のスロットオフセット値を示す）を含む。
【０２３８】
一実施形態では、第２のスロットオフセット値が、第４のスロットに参照される。一例では、第２のスロットオフセット値が、第４のスロットから第３のスロットへのオフセットに対応する。一実施形態では、第２のスロットオフセット値および第４のスロットを使用して、第３のスロットを導出するために、１つ以上の操作（例えば、数学的操作）が実行されてもよい。
【０２３９】
一実施形態では、第２のＤＣＩが、第２のカウンタＤＡＩの値を示す。第２のカウンタＤＡＩが、１つ以上のサイドリンクリソースをスケジューリングし、第３のスロットを示す（および／またはＳＬ  ＨＡＲＱ−ＡＣＫをネットワークに送信するための同じスロットを示す）１つ以上のＤＣＩのカウントに対応する。例えば、第２のカウンタＤＡＩが、１つ以上のサイドリンクリソースをスケジューリングし、第３のスロットを示すＤＣＩの累積数をカウントする（および／またはカウントするように使用される）。代替的および／または追加的に、第２のカウンタＤＡＩが、１つ以上のサイドリンクリソースをスケジューリングし、第３のスロットを示すＤＣＩの累積数を決定する（および／または決定するように使用される）。
【０２４０】
一実施形態では、第１のデバイスが、ネットワークから、１つ以上のサイドリンクリソースをスケジューリングする１つ以上の第２のＤＣＩを受信する。第１のデバイスが、１つ以上のサイドリンクリソース上で１つ以上のサイドリンク送信を行う。１つ以上の第２のＤＣＩが、１つ以上のＳＬ  ＨＡＲＱ−ＡＣＫをネットワークに送信するための第３のスロットを示す。１つ以上のＳＬ  ＨＡＲＱ−ＡＣＫが、第２のＳＬ  ＨＡＲＱ−ＡＣＫビット数を有し、１つ以上のサイドリンク送信に関連付けられる。
【０２４１】
一実施形態では、１つ以上の第２のＤＣＩが、第２のＤＣＩを含み、および／または１つ以上のサイドリンク送信が、第２のデバイスへのサイドリンク送信を含む。
【０２４２】
一実施形態では、１つ以上の第２のＤＣＩの各ＤＣＩが、第２のカウンタＤＡＩの値を示す。第２のカウンタＤＡＩが、１つ以上のサイドリンクリソースをスケジューリングし、１つ以上のＳＬ  ＨＡＲＱ−ＡＣＫをネットワークに送信するための第３のスロットを示す１つ以上のＤＣＩのカウントに対応する。例えば、第２のカウンタＤＡＩが、１つ以上のサイドリンクリソースをスケジューリングし、第３のスロットを示すＤＣＩの累積数をカウントする（および／またはカウントするために使用される）。代替的および／または追加的に、第２のカウンタＤＡＩが、１つ以上のサイドリンクリソースをスケジューリングし、第３のスロットを示すＤＣＩの累積数を決定する（および／または決定するために使用される）。
【０２４３】
一実施形態では、第１のデバイスが、１つ以上の第２のＤＣＩの最後に受信したＤＣＩにおける、第２のカウンタＤＡＩおよび／または第２のカウンタＤＡＩの値の表示に基づいて、第２のＳＬ  ＨＡＲＱ−ＡＣＫビット数を導出する。例えば、第１のデバイスが、１つ以上の第２のＤＣＩの最後に受信したＤＣＩ（例えば、直近に受信したＤＣＩ）における、第２のカウンタＤＡＩおよび／または第２のカウンタＤＡＩの値に基づいて、第２のＳＬ  ＨＡＲＱ−ＡＣＫビット数を導き出す。
【０２４４】
一実施形態では、第１のデバイスが、第２のスロットオフセットセットの濃度に基づいて、第２のＳＬ  ＨＡＲＱ−ＡＣＫビット数を導出する。
【０２４５】
一実施形態では、第１のデバイスが、第３のスロットにおいて上りリンクリソース上で、１つ以上のＳＬ  ＨＡＲＱ−ＡＣＫを送信する。例えば、１つ以上のＳＬ  ＨＡＲＱ−ＡＣＫが、第３スロットにおいて上りリンクリソース内で多重化されてもよい。例えば、第１のデバイスが、第３のスロットにおいて、上りリンクリソース内で１つ以上のＳＬ  ＨＡＲＱ−ＡＣＫを多重化することにより、１つ以上のＳＬ  ＨＡＲＱ−ＡＣＫを送信してもよい。代替的および／または追加的に、上りリンクリソースが、１つ以上の第２のＤＣＩのうちの最後に受信したＤＣＩ  （例えば、直近に受信したＤＣＩ）に基づいて導出される。例えば、上りリンクリソースが、１つ以上のサイドリンクリソースをスケジューリングし、第３のスロットを示す１つ以上のＤＣＩのうちの最後に受信したＤＣＩ（例えば、直近に受信したＤＣＩ）に基づいて導出されてもよい。
【０２４６】
一実施形態では、第１のデバイスが、ＰＤＳＣＨをスケジューリングする第１のＤＣＩを受信し、第１のＤＣＩが、第１のスロットオフセット値を示す。第１のデバイスが、第１のスロットオフセット値に基づいて、ＰＤＳＣＨと関連付けられたＨＡＲＱ−ＡＣＫを送信するための第１のスロットを導出する。
【０２４７】
一実施形態では、第１のデバイスが、ネットワークによる第１のスロットオフセットセットおよび／または第１のスロットオフセットセットが、第１のスロットオフセット値を含む（例えば、第１のスロットオフセット値が、第１のスロットオフセットセットのうちのものである）。
【０２４８】
一実施形態では、第１のＤＣＩが第２のスロットにおいて受信される。第１のスロットが、第１のスロットオフセット値および第２のスロット（例えば、第１のスロットオフセット値が、第１のデバイスがＰＤＳＣＨを受信する第２のスロットに参照される）に基づいてＨＡＲＱ−ＡＣＫを送信するために導出される。一例では、第１のスロットオフセット値が、第２のスロットから第１のスロットへのオフセットに対応する。一例では、第１のスロットオフセット値と第２のスロットとを使用して第１のスロットを導出するために、１つ以上の操作（例えば、数学的操作）が実行されてもよい。
【０２４９】
一実施形態では、第１のＤＣＩが、第１のカウンタＤＡＩの値を示す。第１のカウンタＤＡＩが、１つ以上のＰＤＳＣＨをスケジューリングし、第１のスロットを示す（および／またはＨＡＲＱ−ＡＣＫをネットワークに送信するための同じスロットを示す）１つ以上のＤＣＩのカウントに対応する。例えば、第１のカウンタＤＡＩカウンタが、１つ以上のＰＤＳＣＨをスケジューリングし、第１のスロットを示すＤＣＩの累積数をカウントする（および／またはカウントするために使用される）。代替的および／または追加的に、第１のカウンタＤＡＩが、１つ以上のＰＤＳＣＨをスケジューリングし、第１のスロットを示すＤＣＩの累積数を決定する（および／または決定するために使用される）。
【０２５０】
一実施形態では、第１のデバイスが、ネットワークから、１つ以上のＰＤＳＣＨをスケジューリングする１つ以上の第１のＤＣＩを受信する。１つ以上の第１のＤＣＩが、１つ以上のＨＡＲＱ−ＡＣＫをネットワークに送信するための第１のスロットを示す。１つ以上のＨＡＲＱ−ＡＣＫが、第１のＨＡＲＱ−ＡＣＫビット数を有し、１つ以上のＰＤＳＣＨに関連付けられている。
【０２５１】
一実施形態では、１つ以上の第１のＤＣＩが、第１のＤＣＩを含む。
【０２５２】
一実施形態では、１つ以上の第１のＤＣＩの各ＤＣＩが、第１のカウンタＤＡＩの値を示す。第１のカウンタＤＡＩが、１つ以上のＰＤＳＣＨをスケジューリングし、第１のスロットを示す１つ以上のＤＣＩのカウントに対応する。例えば、第１のカウンタＤＡＩが、１つ以上のＰＤＳＣＨをスケジューリングし、第１のスロットを示すＤＣＩの累積数をカウントする（および／またはカウントするために使用される）。代替的および／または追加的に、第１のカウンタＤＡＩが、１つ以上のＰＤＳＣＨをスケジューリングし、第１のスロットを示すＤＣＩの累積数を決定する（および／または決定するために使用される）。
【０２５３】
一実施形態では、第１のデバイスが、第１のカウンタＤＡＩおよび／または第１のスロットオフセットセットの濃度に基づいて、第１のＨＡＲＱ−ＡＣＫビット数を導出する。代替的および／または追加的に、第１のデバイスが、１つ以上の第１のＤＣＩの最後に受信したＤＣＩ（例えば、１つ以上の第１のＤＣＩの直近に受信したＤＣＩ）における、第１のスロットオフセットセットの濃度および／または第１のカウンタＤＡＩの値の表示に基づいて、第１のＨＡＲＱ−ＡＣＫビット数を導出する。
【０２５４】
一実施形態では、第１のＤＣＩが、第１のカウンタＤＡＩの値を示す。第１のカウンタＤＡＩが、１つ以上のＰＤＳＣＨをスケジューリングし、第１のスロットを示す１つ以上のＤＣＩのカウントに対応し、第２のＤＣＩが、第２のカウンタＤＡＩの値を示し、第２のカウンタＤＡＩが、１つ以上のサイドリンクリソースをスケジューリングし、第３のスロットを示す１つ以上のＤＣＩのカウントに対応し、第１のカウンタＤＡＩおよび第２のカウンタＤＡＩが、独立してカウントされる。代替的および／または追加的に、第１のスロットが第３のスロットと同じであり、第１のカウンタＤＡＩが、１つ以上のサイドリンクリソースをスケジューリングし、第３のスロットを示すことか、または１つ以上のＰＤＳＣＨをスケジューリングし、第３のスロットを示すことの少なくとも１つをする１つ以上のＤＣＩのカウントに対応する。
【０２５５】
一実施形態では、第２のＳＬ  ＨＡＲＱ−ＡＣＫビット数が、１つ以上の第２のＤＣＩが単に第２のＤＣＩを含み（例えば、第２のＤＣＩが１つ以上の第２のＤＣＩのうちの唯一の受信されたＤＣＩである）、第２のＤＣＩによって示される第２のカウンタＤＡＩの値が１である場合（および／またはそうであるときに）、１つのビットに対応する。
【０２５６】
一実施形態では、第２のＳＬ  ＨＡＲＱ−ＡＣＫビット数が、１つ以上の第２のＤＣＩのうちの少なくとも１つが１より多いＤＣＩおよび／または第２のＤＣＩによって示される第２のカウンタＤＡＩの値を含む場合（および／またはそうであるときに）、第２のスロットオフセットセットの濃度または第２のカウンタＤＡＩの値に対応する。
【０２５７】
一実施形態では、第１のスロットが、第３のスロットと同じである。第１のデバイスが、ＵＣＩペイロードを生成してもよい。ＵＣＩペイロードが、１つ以上のＨＡＲＱ−ＡＣＫを示す、第１のＨＡＲＱ−ＡＣＫビット数を有する１つ以上の第１のビットを含む。ＵＣＩペイロードが、１つ以上のＳＬ  ＨＡＲＱ−ＡＣＫを示す、第２のＳＬ  ＨＡＲＱ−ＡＣＫビット数を有する１つ以上の第２のビットを含む。１つ以上の第１のビットが、（ＵＣＩペイロードにおける）１つ以上の第２のビットによって後続されるか、連結される。上りリンクリソースが、１つ以上の第１のＤＣＩおよび１つ以上の第２のＤＣＩの最後に受信したＤＣＩ（例えば、直近に受信したＤＣＩ）（例えば、最後に受信したＤＣＩが、１つ以上のＰＤＳＣＨをスケジューリングし、第３のスロットを示すことか、または１つ以上のサイドリンクリソースをスケジューリングし、第３のスロットを示すことの少なくとも１つをする直近に受信したＤＣＩに対応してもよい）に基づいて導出されてもよい。代替的および／または追加的に、ＵＣＩペイロードが、第３のスロットにおける上りリンクリソースにおいて送信されてもよい。
【０２５８】
図３および図４に戻って参照すると、ネットワークによって第２のスロットオフセットセットで設定された第１のデバイスの１つの例示的な実施形態では、デバイス３００が、メモリ３１０に記憶されたプログラムコード３１２を含む。ＣＰＵ３０８がプログラムコード３１２を実行して、第１のデバイスが、（ｉ）ネットワークから、サイドリンクリソースをスケジューリングする第２のＤＣＩを受信することと、（ｉｉ）サイドリンクリソース上で、第２のデバイスへのサイドリンク送信を行うことと、（ｉｉｉ）第４のスロットにおいて、第２のデバイスからのＳＬ  ＨＡＲＱ−ＡＣＫフィードバックを監視および／または受信することであって、ＳＬ−ＨＡＲＱ−ＡＣＫフィードバックが、サイドリンク送信に関連づけられている、監視および／または受信することと、（ｉｖ）第４のスロットおよび第２のＤＣＩによって示される第２のスロットオフセット値に基づいて、ＳＬ  ＨＡＲＱ−ＡＣＫをネットワークに送信するための第３のスロットを導出することであって、第２のスロットオフセットセットが、第２のスロットオフセット値を含む、導出することと、をするのを可能にすることができる。ＳＬ  ＨＡＲＱ−ＡＣＫが、受信したＳＬ  ＨＡＲＱ−ＡＣＫフィードバックに基づいて設定／導出／決定される。さらに、ＣＰＵ  ３０８が、プログラムコード３１２を実行して、上述のアクションおよびステップ、および／または他のもののうちの１つ、いくつか、および／またはすべてを実行することができる。
【０２５９】
通信デバイス（例えば、ＵＥ、基地局、ネットワークノードなど）を提供することができ、通信デバイスが、制御回路、制御回路に設置されたプロセッサ、および／または制御回路内に設置され、プロセッサに結合されたメモリを含んでもよい。プロセッサが、メモリに記憶されたプログラムコードを実行して、図１３〜１５の１つ以上に示された方法ステップを実行するように構成されてもよい。さらに、プロセッサが、プログラムコードを実行して、本明細書に記載の上述のアクションおよびステップ、および／またはその他のステップのうちの１つ、いくつか、および／またはすべてを行ってもよい。
【０２６０】
以上、本開示の種々の態様を説明した。当然のことながら、本明細書の教示内容が多種多様な形態で具現化されてもよく、本明細書に開示したいかなる特定の構造、機能、またはその両者は代表的なものに過ぎない。本明細書の教示内容に基づいて、当業者には当然のことながら、本明細書に開示した態様が、他のいかなる態様からも独立して実装されてもよく、これら態様のうちの２つ以上が様々な方法で組み合わせられてもよい。例えば、本明細書に記載した任意の数の態様を使用して、装置が実装されてもよいし、方法が実現されてもよい。追加的に、本明細書に記載した態様のうちの１つ以上に追加して、またはそれとは別で、他の構造、機能、または構造と機能を使用して、このような装置が実装されてもよいし、このような方法が実現されてもよい。上記概念の一部の例として、いくつかの態様においては、パルス繰り返し周波数に基づいて、同時チャネルが確立されてもよい。いくつかの態様においては、パルス位置またはオフセットに基づいて、同時チャネルが確立されてもよい。いくつかの態様においては、時間ホッピングシーケンスに基づいて、同時チャネルが確立されてもよい。いくつかの態様においては、パルス繰り返し周波数、パルス位置またはオフセット、および時間ホッピングシーケンスに基づいて同時チャネルが確立されてもよい。
【０２６１】
当業者であれば、多様な異なるテクノロジおよび技術のいずれかを使用して、情報および信号を表わしてよいを理解するであろう。例えば、上記説明全体で言及されることがあるデータ、命令、コマンド、情報、信号、ビット、シンボル、およびチップは、電圧、電流、電磁波、磁場若しくは粒子、光場若しくは粒子、またはこれらの任意の組み合わせによって表わしてよい。
【０２６２】
さらに、当業者には当然のことながら、本明細書に開示された態様に関連して説明した種々の例示的な論理ブロック、モジュール、プロセッサ、手段、回路、およびアルゴリズムステップは、電子的ハードウェア（例えば、ソースコーディングまたはその他何らかの技術を用いて設計することがあるディジタル実装、アナログ実装、またはこれら２つの組み合わせ）、命令を含む種々の形態のプログラム若しくは設計コード（本明細書においては便宜上、「ソフトウェア」または「ソフトウェアモジュール」と称されることがある）、または両者の組み合わせとして実装されてよい。このハードウェアおよびソフトウェアの互換性を明確に示すため、種々の例示的な構成要素、ブロック、モジュール、回路、およびステップを、概略的にそれぞれの機能の側面から上述した。そのような機能がハードウェアとして実装されるか、ソフトウェアとして実装されるかは、特定用途およびシステム全体に課される設計上の制約によって決まる。当業者であれば、特定各用途に対して、説明した機能を様々なやり方で実装してもよいが、そのような実装の決定は、本開示の範囲からの逸脱の原因として解釈されるべきではない。
【０２６３】
追加的に、本明細書に開示される態様に関連して説明した種々の例示的な論理ブロック、モジュール、および回路は、集積回路（「ＩＣ」）、アクセス端末、またはアクセスポイント内で実装される、あるいはこれらによって実行されてよい。ＩＣとしては、汎用プロセッサ、ディジタルシグナルプロセッサ（ＤＳＰ）、特定用途向け集積回路（ＡＳＩＣ）、フィールドプログラマブルゲートアレイ（ＦＰＧＡ）、その他プログラマブル論理デバイス、ディスクリートゲート若しくはトランジスタロジック、ディスクリートハードウェアコンポーネント、電気部品、光学部品、機械部品、または本明細書で説明した機能を実行するように設計されたこれらの任意の組み合わせを含み、ＩＣ内、ＩＣ外、またはその両方に存在するコードまたは命令を実行してよい。汎用プロセッサは、マイクロプロセッサとしてよいが、代替として、プロセッサは、従来の任意のプロセッサ、コントローラ、マイクロコントローラ、または状態機械としてよい。また、プロセッサは、ＤＳＰとマイクロプロセッサとの組み合わせ、複数のマイクロプロセッサ、ＤＳＰコアと協働する１つ以上のマイクロプロセッサ、またはその他任意のこのような構成である、コンピュータデバイスの組み合わせとして実装されてよい。
【０２６４】
任意の開示プロセスにおけるステップの如何なる特定の順序または階層は、実例的な手法の一例であることが了解される。設計の選好に基づいて、プロセスにおけるステップの特定の順序または階層を、本開示の範囲内に留まりつつ、再構成してよいことが了解される。添付の方法の請求項は、種々のステップの要素を実例的な順序で示しており、提示の特定順序または階層に限定されることを意図していない。
【０２６５】
本明細書に開示される態様に関連して記載された方法またはアルゴリズムのステップを、ハードウェアにおいて直接具現化してよく、プロセッサにより実行されるソフトウェアモジュールにおいて具現化してよく、これら２つの組み合わせにおいて具現化してよい。（例えば、実行可能な命令および関連するデータを含む）ソフトウェアモジュールおよび他のデータは、ＲＡＭメモリ、フラッシュメモリ、ＲＯＭメモリ、ＥＰＲＯＭメモリ、ＥＥＰＲＯＭメモリ、レジスタ、ハードディスク、リムバーブルディスク、ＣＤ−ＲＯＭ等のデータメモリ、または当技術分野において知られているその他任意の形態のコンピュータ可読記憶媒体に存在してよい。実例的な記憶媒体がコンピュータ／プロセッサ（本明細書においては便宜上、「プロセッサ」と称されることがある）等の機械に結合されてよい、このようなプロセッサは、記憶媒体からの情報（例えば、コード）の読み出しおよび記憶媒体への情報の書き込みが可能である。実例的な記憶媒体は、プロセッサと一体化されてよい。プロセッサおよび記憶媒体は、ＡＳＩＣに存在してよい。ＡＳＩＣは、ユーザ機器に存在していてもよい。代替として、プロセッサおよび記憶媒体は、ディスクリートコンポーネントとしてユーザ機器に存在してよい。代替的および／または追加的に、いくつかの態様においては、任意の適当なコンピュータプログラム製品が、本開示の態様のうちの１つ以上に関連するコードを含むコンピュータ可読媒体を含んでもよい。いくつかの態様において、コンピュータプログラム製品は、パッケージング材料を含んでよい。
【０２６６】
以上、種々の態様に関連して本開示の主題を説明したが、本開示の主題は、さらに改良可能であることが了解される。本願は、概して本開示の主題の原理に従うと共に、本開示の主題が関係する技術分野における既知で慣習的な実施となるような本開示からのそのような逸脱を含む本開示の主題の任意の変形、使用、または適応を網羅することを意図している。
【図１】
2020137127.tif 000034
【図２】
2020137127.tif 000035
【図３】
2020137127.tif 000036
【図４】
2020137127.tif 000037
【図５】
2020137127.tif 000038
【図６】
2020137127.tif 000039
【図７】
2020137127.tif 000040
【図８】
2020137127.tif 000041
【図９】
2020137127.tif 000042
【図１０】
2020137127.tif 000043
【図１１】
2020137127.tif 000044
【図１２】
2020137127.tif 000045
【図１３】
2020137127.tif 000046
【図１４】
2020137127.tif 000047
【図１５】
2020137127.tif 000048
【外国語明細書】
2020137127000001.pdf